(57)【要約】      （修正有）【課題】蒸気タービン発電は静翼を具備して、物理基礎の運動エネルギ＝質量×速度の２乗に比例するを利用０接近にし、竜巻の巨大化等地球温暖化を防止する。【解決手段】理論最良で質量×速度の２乗に比例するを利用可能な全動翼とし、対向２段圧縮機連結液体酸素製造機＋竪型全動翼蒸気水重力タービン１１Ｚ発電等として、落差製造用の重力発電建物製作とし、柱管を比重大物質上昇装置２Ｆ兼用として、逆浸透水５２Ｄを最上部に上昇保存比重大物質加速機６Ｗで噴射し、超臨界圧力水蒸気５Ｈで逆浸透水５２Ｄを噴射加速して真空中の重力加速度加速で発電して、同一流路面積既存蒸気タービン最終翼群の１８００万倍発電量のタービン翼群８Ｆ等実験が必要な倍率とし、製造物全部極秘運用の運用利益率抜群世界一永遠や給料世界一等として、世界規模でＣＯ２排気０海水温度上昇０の地球温暖化防止にする。【選択図】図２
2015218640.tif 000002
【特許請求の範囲】
【請求項１】
円筒内側動翼群（６０Ｃ）を１段として円筒外側動翼群（６０Ｄ）を２段として竪型全動翼蒸気水重力タービン（１１Ｚ）とした各種エネルギ保存サイクル合体機関及び合体方法。
【請求項２】
円筒内側動翼群（６０Ｃ）を２段として円筒外側動翼群（６０Ｄ）を３段として竪型全動翼蒸気水重力タービン（１１Ｚ）とした各種エネルギ保存サイクル合体機関及び合体方法。
【請求項３】
円筒内側動翼群（６０Ｃ）を３段として円筒外側動翼群（６０Ｄ）を４段として竪型全動翼蒸気水重力タービン（１１Ｚ）とした各種エネルギ保存サイクル合体機関及び合体方法。
【請求項４】
円筒内側動翼群（６０Ｃ）を４段として円筒外側動翼群（６０Ｄ）を５段として竪型全動翼蒸気水重力タービン（１１Ｚ）とした各種エネルギ保存サイクル合体機関及び合体方法。
【請求項５】
円筒内側動翼群（６０Ｃ）を５段として円筒外側動翼群（６０Ｄ）を６段として竪型全動翼蒸気水重力タービン（１１Ｚ）とした各種エネルギ保存サイクル合体機関及び合体方法。
【請求項６】
円筒内側動翼群（６０Ｃ）を６段として円筒外側動翼群（６０Ｄ）を７段として竪型全動翼蒸気水重力タービン（１１Ｚ）とした各種エネルギ保存サイクル合体機関及び合体方法。
【請求項７】
円筒内側動翼群（６０Ｃ）を７段として円筒外側動翼群（６０Ｄ）を８段として竪型全動翼蒸気水重力タービン（１１Ｚ）とした各種エネルギ保存サイクル合体機関及び合体方法。
【請求項８】
円筒内側動翼群（６０Ｃ）を８段として円筒外側動翼群（６０Ｄ）を９段として竪型全動翼蒸気水重力タービン（１１Ｚ）とした各種エネルギ保存サイクル合体機関及び合体方法。
【請求項９】
円筒内側動翼群（６０Ｃ）を９段として円筒外側動翼群（６０Ｄ）を１０段として竪型全動翼蒸気水重力タービン（１１Ｚ）とした各種エネルギ保存サイクル合体機関及び合体方法。
【請求項１０】
円筒内側動翼群（６０Ｃ）を１０段として円筒外側動翼群（６０Ｄ）を１１段として竪型全動翼蒸気水重力タービン（１１Ｚ）とした各種エネルギ保存サイクル合体機関及び合体方法。
【請求項１１】
円筒内側動翼群（６０Ｃ）を１１段として円筒外側動翼群（６０Ｄ）を１２段として竪型全動翼蒸気水重力タービン（１１Ｚ）とした各種エネルギ保存サイクル合体機関及び合体方法。
【請求項１２】
円筒内側動翼群（６０Ｃ）を１段として円筒外側動翼群（６０Ｄ）を２段として夫々の段を１鋳造部品として竪型全動翼蒸気水重力タービン（１１Ｚ）とした各種エネルギ保存サイクル合体機関及び合体方法。
【請求項１３】
円筒内側動翼群（６０Ｃ）を２段として円筒外側動翼群（６０Ｄ）を３段として夫々の段を１鋳造部品として竪型全動翼蒸気水重力タービン（１１Ｚ）とした各種エネルギ保存サイクル合体機関及び合体方法。
【請求項１４】
円筒内側動翼群（６０Ｃ）を３段として円筒外側動翼群（６０Ｄ）を４段として夫々の段を１鋳造部品として竪型全動翼蒸気水重力タービン（１１Ｚ）とした各種エネルギ保存サイクル合体機関及び合体方法。
【請求項１５】
円筒内側動翼群（６０Ｃ）を４段として円筒外側動翼群（６０Ｄ）を５段として夫々の段を１鋳造部品として竪型全動翼蒸気水重力タービン（１１Ｚ）とした各種エネルギ保存サイクル合体機関及び合体方法。
【請求項１６】
円筒内側動翼群（６０Ｃ）を５段として円筒外側動翼群（６０Ｄ）を６段として夫々の段を１鋳造部品として竪型全動翼蒸気水重力タービン（１１Ｚ）とした各種エネルギ保存サイクル合体機関及び合体方法。
【請求項１７】
円筒内側動翼群（６０Ｃ）を６段として円筒外側動翼群（６０Ｄ）を７段として夫々の段を１鋳造部品として竪型全動翼蒸気水重力タービン（１１Ｚ）とした各種エネルギ保存サイクル合体機関及び合体方法。
【請求項１８】
円筒内側動翼群（６０Ｃ）を７段として円筒外側動翼群（６０Ｄ）を８段として夫々の段を１鋳造部品として竪型全動翼蒸気水重力タービン（１１Ｚ）とした各種エネルギ保存サイクル合体機関及び合体方法。
【請求項１９】
円筒内側動翼群（６０Ｃ）を８段として円筒外側動翼群（６０Ｄ）を９段として夫々の段を１鋳造部品として竪型全動翼蒸気水重力タービン（１１Ｚ）とした各種エネルギ保存サイクル合体機関及び合体方法。
【請求項２０】
円筒内側動翼群（６０Ｃ）を９段として円筒外側動翼群（６０Ｄ）を１０段として夫々の段を１鋳造部品として竪型全動翼蒸気水重力タービン（１１Ｚ）とした各種エネルギ保存サイクル合体機関及び合体方法。
【請求項２１】
円筒内側動翼群（６０Ｃ）を１０段として円筒外側動翼群（６０Ｄ）を１１段として夫々の段を１鋳造部品として竪型全動翼蒸気水重力タービン（１１Ｚ）とした各種エネルギ保存サイクル合体機関及び合体方法。
【請求項２２】
円筒内側動翼群（６０Ｃ）を１１段として円筒外側動翼群（６０Ｄ）を１２段として夫々の段を１鋳造部品として竪型全動翼蒸気水重力タービン（１１Ｚ）とした各種エネルギ保存サイクル合体機関及び合体方法。
【請求項２３】
円筒内側動翼群（６０Ｃ）を１段として円筒外側動翼群（６０Ｄ）を２段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２４】
円筒内側動翼群（６０Ｃ）を２段として円筒外側動翼群（６０Ｄ）を３段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２５】
円筒内側動翼群（６０Ｃ）を３段として円筒外側動翼群（６０Ｄ）を４段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２６】
円筒内側動翼群（６０Ｃ）を４段として円筒外側動翼群（６０Ｄ）を５段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２７】
円筒内側動翼群（６０Ｃ）を５段として円筒外側動翼群（６０Ｄ）を６段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２８】
円筒内側動翼群（６０Ｃ）を６段として円筒外側動翼群（６０Ｄ）を７段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項２９】
円筒内側動翼群（６０Ｃ）を７段として円筒外側動翼群（６０Ｄ）を８段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項３０】
円筒内側動翼群（６０Ｃ）を８段として円筒外側動翼群（６０Ｄ）を９段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項３１】
円筒内側動翼群（６０Ｃ）を９段として円筒外側動翼群（６０Ｄ）を１０段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項３２】
円筒内側動翼群（６０Ｃ）を１０段として円筒外側動翼群（６０Ｄ）を１１段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項３３】
円筒内側動翼群（６０Ｃ）を１１段として円筒外側動翼群（６０Ｄ）を１２段として夫々の段を１鋳造部品として二重反転機関用立型旋盤（１０Ｂ）で加工して竪型全動翼蒸気水重力タービン（１１Ｚ）とした各種エネルギ保存サイクル合体機関及び合体方法。
【請求項３４】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項３５】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項３６】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項３７】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項３８】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項３９】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４０】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４１】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４２】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４３】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４４】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して竪型全動翼蒸気水重力タービン（１１Ｚ）とした各種エネルギ保存サイクル合体機関及び合体方法。
【請求項４５】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項４６】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項４７】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項４８】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項４９】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５０】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５１】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５２】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５３】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５４】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５５】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気水重力タービン（１１Ｚ）とした各種エネルギ保存サイクル合体機関及び合体方法。
【請求項５６】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項５７】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項５８】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項５９】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６０】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６１】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６２】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６３】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６４】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６５】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６６】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）単数組にして竪型全動翼蒸気水重力タービン（１１Ｚ）とした各種エネルギ保存サイクル合体機関及び合体方法。
【請求項６７】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項６８】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項６９】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７０】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７１】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７２】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７３】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７４】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７５】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７６】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７７】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）複数組にして竪型全動翼蒸気水重力タービン（１１Ｚ）とした各種エネルギ保存サイクル合体機関及び合体方法。
【請求項７８】
円筒内側動翼群（６０Ｃ）を１段として円筒外側動翼群（６０Ｄ）を２段として竪型全動翼蒸気比重大物質重力タービン（１１Ｙ）とした各種エネルギ保存サイクル合体機関及び合体方法。
【請求項７９】
円筒内側動翼群（６０Ｃ）を２段として円筒外側動翼群（６０Ｄ）を３段として竪型全動翼蒸気比重大物質重力タービン（１１Ｙ）とした各種エネルギ保存サイクル合体機関及び合体方法。
【請求項８０】
円筒内側動翼群（６０Ｃ）を３段として円筒外側動翼群（６０Ｄ）を４段として竪型全動翼蒸気比重大物質重力タービン（１１Ｙ）とした各種エネルギ保存サイクル合体機関及び合体方法。
【請求項８１】
円筒内側動翼群（６０Ｃ）を４段として円筒外側動翼群（６０Ｄ）を５段として竪型全動翼蒸気比重大物質重力タービン（１１Ｙ）とした各種エネルギ保存サイクル合体機関及び合体方法。
【請求項８２】
円筒内側動翼群（６０Ｃ）を５段として円筒外側動翼群（６０Ｄ）を６段として竪型全動翼蒸気比重大物質重力タービン（１１Ｙ）とした各種エネルギ保存サイクル合体機関及び合体方法。
【請求項８３】
円筒内側動翼群（６０Ｃ）を６段として円筒外側動翼群（６０Ｄ）を７段として竪型全動翼蒸気比重大物質重力タービン（１１Ｙ）とした各種エネルギ保存サイクル合体機関及び合体方法。
【請求項８４】
円筒内側動翼群（６０Ｃ）を７段として円筒外側動翼群（６０Ｄ）を８段として竪型全動翼蒸気比重大物質重力タービン（１１Ｙ）とした各種エネルギ保存サイクル合体機関及び合体方法。
【請求項８５】
円筒内側動翼群（６０Ｃ）を８段として円筒外側動翼群（６０Ｄ）を９段として竪型全動翼蒸気比重大物質重力タービン（１１Ｙ）とした各種エネルギ保存サイクル合体機関及び合体方法。
【請求項８６】
円筒内側動翼群（６０Ｃ）を９段として円筒外側動翼群（６０Ｄ）を１０段として竪型全動翼蒸気比重大物質重力タービン（１１Ｙ）とした各種エネルギ保存サイクル合体機関及び合体方法。
【請求項８７】
円筒内側動翼群（６０Ｃ）を１０段として円筒外側動翼群（６０Ｄ）を１１段として竪型全動翼蒸気比重大物質重力タービン（１１Ｙ）とした各種エネルギ保存サイクル合体機関及び合体方法。
【請求項８８】
円筒内側動翼群（６０Ｃ）を１１段として円筒外側動翼群（６０Ｄ）を１２段として竪型全動翼蒸気比重大物質重力タービン（１１Ｙ）とした各種エネルギ保存サイクル合体機関及び合体方法。
【請求項８９】
円筒内側動翼群（６０Ｃ）を１段として円筒外側動翼群（６０Ｄ）を２段として夫々の段を１鋳造部品として竪型全動翼蒸気比重大物質重力タービン（１１Ｙ）とした各種エネルギ保存サイクル合体機関及び合体方法。
【請求項９０】
円筒内側動翼群（６０Ｃ）を２段として円筒外側動翼群（６０Ｄ）を３段として夫々の段を１鋳造部品として竪型全動翼蒸気比重大物質重力タービン（１１Ｙ）とした各種エネルギ保存サイクル合体機関及び合体方法。
【請求項９１】
円筒内側動翼群（６０Ｃ）を３段として円筒外側動翼群（６０Ｄ）を４段として夫々の段を１鋳造部品として竪型全動翼蒸気比重大物質重力タービン（１１Ｙ）とした各種エネルギ保存サイクル合体機関及び合体方法。
【請求項９２】
円筒内側動翼群（６０Ｃ）を４段として円筒外側動翼群（６０Ｄ）を５段として夫々の段を１鋳造部品として竪型全動翼蒸気比重大物質重力タービン（１１Ｙ）とした各種エネルギ保存サイクル合体機関及び合体方法。
【請求項９３】
円筒内側動翼群（６０Ｃ）を５段として円筒外側動翼群（６０Ｄ）を６段として夫々の段を１鋳造部品として竪型全動翼蒸気比重大物質重力タービン（１１Ｙ）とした各種エネルギ保存サイクル合体機関及び合体方法。
【請求項９４】
円筒内側動翼群（６０Ｃ）を６段として円筒外側動翼群（６０Ｄ）を７段として夫々の段を１鋳造部品として竪型全動翼蒸気比重大物質重力タービン（１１Ｙ）とした各種エネルギ保存サイクル合体機関及び合体方法。
【請求項９５】
円筒内側動翼群（６０Ｃ）を７段として円筒外側動翼群（６０Ｄ）を８段として夫々の段を１鋳造部品として竪型全動翼蒸気比重大物質重力タービン（１１Ｙ）とした各種エネルギ保存サイクル合体機関及び合体方法。
【請求項９６】
円筒内側動翼群（６０Ｃ）を８段として円筒外側動翼群（６０Ｄ）を９段として夫々の段を１鋳造部品として竪型全動翼蒸気比重大物質重力タービン（１１Ｙ）とした各種エネルギ保存サイクル合体機関及び合体方法。
【請求項９７】
円筒内側動翼群（６０Ｃ）を９段として円筒外側動翼群（６０Ｄ）を１０段として夫々の段を１鋳造部品として竪型全動翼蒸気比重大物質重力タービン（１１Ｙ）とした各種エネルギ保存サイクル合体機関及び合体方法。
【請求項９８】
円筒内側動翼群（６０Ｃ）を１０段として円筒外側動翼群（６０Ｄ）を１１段として夫々の段を１鋳造部品として竪型全動翼蒸気比重大物質重力タービン（１１Ｙ）とした各種エネルギ保存サイクル合体機関及び合体方法。
【請求項９９】
円筒内側動翼群（６０Ｃ）を１１段として円筒外側動翼群（６０Ｄ）を１２段として夫々の段を１鋳造部品として竪型全動翼蒸気比重大物質重力タービン（１１Ｙ）とした各種エネルギ保存サイクル合体機関及び合体方法。
【請求項１００】
円筒内側動翼群（６０Ｃ）を１段として円筒外側動翼群（６０Ｄ）を２段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０１】
円筒内側動翼群（６０Ｃ）を２段として円筒外側動翼群（６０Ｄ）を３段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０２】
円筒内側動翼群（６０Ｃ）を３段として円筒外側動翼群（６０Ｄ）を４段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０３】
円筒内側動翼群（６０Ｃ）を４段として円筒外側動翼群（６０Ｄ）を５段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０４】
円筒内側動翼群（６０Ｃ）を５段として円筒外側動翼群（６０Ｄ）を６段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０５】
円筒内側動翼群（６０Ｃ）を６段として円筒外側動翼群（６０Ｄ）を７段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０６】
円筒内側動翼群（６０Ｃ）を７段として円筒外側動翼群（６０Ｄ）を８段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０７】
円筒内側動翼群（６０Ｃ）を８段として円筒外側動翼群（６０Ｄ）を９段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０８】
円筒内側動翼群（６０Ｃ）を９段として円筒外側動翼群（６０Ｄ）を１０段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１０９】
円筒内側動翼群（６０Ｃ）を１０段として円筒外側動翼群（６０Ｄ）を１１段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１１０】
円筒内側動翼群（６０Ｃ）を１１段として円筒外側動翼群（６０Ｄ）を１２段として夫々の段を１鋳造部品として二重反転機関用立型旋盤（１０Ｂ）で加工して竪型全動翼蒸気比重大物質重力タービン（１１Ｙ）とした各種エネルギ保存サイクル合体機関及び合体方法。
【請求項１１１】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１２】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１３】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１４】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１５】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１６】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１７】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１８】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１１９】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１２０】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１２１】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して竪型全動翼蒸気比重大物質重力タービン（１１Ｙ）とした各種エネルギ保存サイクル合体機関及び合体方法。
【請求項１２２】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２３】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２４】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２５】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２６】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２７】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２８】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１２９】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１３０】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１３１】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１３２】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して竪型全動翼蒸気比重大物質重力タービン（１１Ｙ）とした各種エネルギ保存サイクル合体機関及び合体方法。
【請求項１３３】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３４】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３５】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３６】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３７】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３８】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１３９】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１４０】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１４１】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１４２】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１４３】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転磁気装置（８５）で垂直連結駆動する竪型全動翼蒸気比重大物質重力タービン（１１Ｙ）とした各種エネルギ保存サイクル合体機関及び合体方法。
【請求項１４４】
円筒内側動翼群（６０Ｃ）を１段として円筒外側動翼群（６０Ｄ）を２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１４５】
円筒内側動翼群（６０Ｃ）を２段として円筒外側動翼群（６０Ｄ）を３段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１４６】
円筒内側動翼群（６０Ｃ）を３段として円筒外側動翼群（６０Ｄ）を４段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１４７】
円筒内側動翼群（６０Ｃ）を４段として円筒外側動翼群（６０Ｄ）を５段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１４８】
円筒内側動翼群（６０Ｃ）を５段として円筒外側動翼群（６０Ｄ）を６段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１４９】
円筒内側動翼群（６０Ｃ）を６段として円筒外側動翼群（６０Ｄ）を７段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５０】
円筒内側動翼群（６０Ｃ）を７段として円筒外側動翼群（６０Ｄ）を８段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５１】
円筒内側動翼群（６０Ｃ）を８段として円筒外側動翼群（６０Ｄ）を９段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５２】
円筒内側動翼群（６０Ｃ）を９段として円筒外側動翼群（６０Ｄ）を１０段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５３】
円筒内側動翼群（６０Ｃ）を１０段として円筒外側動翼群（６０Ｄ）を１１段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５４】
円筒内側動翼群（６０Ｃ）を１１段として円筒外側動翼群（６０Ｄ）を１２段として夫々の段を１鋳造部品として二重反転機関用立型旋盤（１０Ｂ）とタービン翼用研削盤（１０Ｆ）で加工して外側軸装置（６０Ｂ）等夫々を仮組立して二重反転機関用立型旋盤（１０Ｂ）で保持超高速バランス調整加工して各種磁気利用し軸受荷重０接近の外側軸装置（６０Ｂ）内側軸装置（６０Ａ）を二重反転歯車装置（８５Ｙ）で垂直連結駆動する竪型全動翼蒸気比重大物質重力タービン（１１Ｙ）とした各種エネルギ保存サイクル合体機関及び合体方法。
【請求項１５５】
一体タービン翼群（８Ｇ）水平軸（１６Ａ）を１鋳造部品として全長を１，５ｍ以下として横型全動翼蒸気水重力タービン（１１Ｘ）とした各種エネルギ保存サイクル合体機関及び合体方法。
【請求項１５６】
一体タービン翼群（８Ｇ）水平軸（１６Ａ）を１鋳造部品として全長を２ｍ以下として横型全動翼蒸気水重力タービン（１１Ｘ）とした各種エネルギ保存サイクル合体機関及び合体方法。
【請求項１５７】
一体タービン翼群（８Ｇ）水平軸（１６Ａ）を１鋳造部品として全長を２，５ｍ以下として横型全動翼蒸気水重力タービン（１１Ｘ）とした各種エネルギ保存サイクル合体機関及び合体方法。
【請求項１５８】
一体タービン翼群（８Ｇ）水平軸（１６Ａ）を１鋳造部品として全長を３ｍ以下として横型全動翼蒸気水重力タービン（１１Ｘ）とした各種エネルギ保存サイクル合体機関及び合体方法。
【請求項１５９】
一体タービン翼群（８Ｇ）水平軸（１６Ａ）を１鋳造部品として全長を３，５ｍ以下として横型全動翼蒸気水重力タービン（１１Ｘ）とした各種エネルギ保存サイクル合体機関及び合体方法。
【請求項１６０】
一体タービン翼群（８Ｇ）水平軸（１６Ａ）を１鋳造部品として全長を４ｍ以下として横型全動翼蒸気水重力タービン（１１Ｘ）とした各種エネルギ保存サイクル合体機関及び合体方法。
【請求項１６１】
一体タービン翼群（８Ｇ）水平軸（１６Ａ）を１鋳造部品として全長を４，５ｍ以下として横型全動翼蒸気水重力タービン（１１Ｘ）とした各種エネルギ保存サイクル合体機関及び合体方法。
【請求項１６２】
一体タービン翼群（８Ｇ）水平軸（１６Ａ）を１鋳造部品として全長を５ｍ以下として横型全動翼蒸気水重力タービン（１１Ｘ）とした各種エネルギ保存サイクル合体機関及び合体方法。
【請求項１６３】
一体タービン翼群（８Ｇ）水平軸（１６Ａ）を１鋳造部品として全長を５，５ｍ以下として横型全動翼蒸気水重力タービン（１１Ｘ）とした各種エネルギ保存サイクル合体機関及び合体方法。
【請求項１６４】
一体タービン翼群（８Ｇ）水平軸（１６Ａ）を１鋳造部品として全長を６ｍ以下として横型全動翼蒸気水重力タービン（１１Ｘ）とした各種エネルギ保存サイクル合体機関及び合体方法。
【請求項１６５】
一体タービン翼群（８Ｇ）水平軸（１６Ａ）を１鋳造部品として全長を６ｍ以上として横型全動翼蒸気水重力タービン（１１Ｘ）とした各種エネルギ保存サイクル合体機関及び合体方法。
【請求項１６６】
一体タービン翼群（８Ｇ）水平軸（１６Ａ）を２鋳造部品として全長を１，５ｍ以下として横型全動翼蒸気水重力タービン（１１Ｘ）とした各種エネルギ保存サイクル合体機関及び合体方法。
【請求項１６７】
一体タービン翼群（８Ｇ）水平軸（１６Ａ）を２鋳造部品として全長を２ｍ以下として横型全動翼蒸気水重力タービン（１１Ｘ）とした各種エネルギ保存サイクル合体機関及び合体方法。
【請求項１６８】
一体タービン翼群（８Ｇ）水平軸（１６Ａ）を２鋳造部品として全長を２，５ｍ以下として横型全動翼蒸気水重力タービン（１１Ｘ）とした各種エネルギ保存サイクル合体機関及び合体方法。
【請求項１６９】
一体タービン翼群（８Ｇ）水平軸（１６Ａ）を２鋳造部品として全長を３ｍ以下として横型全動翼蒸気水重力タービン（１１Ｘ）とした各種エネルギ保存サイクル合体機関及び合体方法。
【請求項１７０】
一体タービン翼群（８Ｇ）水平軸（１６Ａ）を２鋳造部品として全長を３，５ｍ以下として横型全動翼蒸気水重力タービン（１１Ｘ）とした各種エネルギ保存サイクル合体機関及び合体方法。
【請求項１７１】
一体タービン翼群（８Ｇ）水平軸（１６Ａ）を２鋳造部品として全長を４ｍ以下として横型全動翼蒸気水重力タービン（１１Ｘ）とした各種エネルギ保存サイクル合体機関及び合体方法。
【請求項１７２】
一体タービン翼群（８Ｇ）水平軸（１６Ａ）を２鋳造部品として全長を４，５ｍ以下として横型全動翼蒸気水重力タービン（１１Ｘ）とした各種エネルギ保存サイクル合体機関及び合体方法。
【請求項１７３】
一体タービン翼群（８Ｇ）水平軸（１６Ａ）を２鋳造部品として全長を５ｍ以下として横型全動翼蒸気水重力タービン（１１Ｘ）とした各種エネルギ保存サイクル合体機関及び合体方法。
【請求項１７４】
一体タービン翼群（８Ｇ）水平軸（１６Ａ）を２鋳造部品として全長を５，５ｍ以下として横型全動翼蒸気水重力タービン（１１Ｘ）とした各種エネルギ保存サイクル合体機関及び合体方法。
【請求項１７５】
一体タービン翼群（８Ｇ）水平軸（１６Ａ）を２鋳造部品として全長を６ｍ以下として横型全動翼蒸気水重力タービン（１１Ｘ）とした各種エネルギ保存サイクル合体機関及び合体方法。
【請求項１７６】
一体タービン翼群（８Ｇ）水平軸（１６Ａ）を２鋳造部品として全長を６ｍ以上として横型全動翼蒸気水重力タービン（１１Ｘ）とした各種エネルギ保存サイクル合体機関及び合体方法。
【請求項１７７】
一体タービン翼群（８Ｇ）水平軸（１６Ａ）を３鋳造部品として全長を１，５ｍ以下として横型全動翼蒸気水重力タービン（１１Ｘ）とした各種エネルギ保存サイクル合体機関及び合体方法。
【請求項１７８】
一体タービン翼群（８Ｇ）水平軸（１６Ａ）を３鋳造部品として全長を２ｍ以下として横型全動翼蒸気水重力タービン（１１Ｘ）とした各種エネルギ保存サイクル合体機関及び合体方法。
【請求項１７９】
一体タービン翼群（８Ｇ）水平軸（１６Ａ）を３鋳造部品として全長を２，５ｍ以下として横型全動翼蒸気水重力タービン（１１Ｘ）とした各種エネルギ保存サイクル合体機関及び合体方法。
【請求項１８０】
一体タービン翼群（８Ｇ）水平軸（１６Ａ）を３鋳造部品として全長を３ｍ以下として横型全動翼蒸気水重力タービン（１１Ｘ）とした各種エネルギ保存サイクル合体機関及び合体方法。
【請求項１８１】
一体タービン翼群（８Ｇ）水平軸（１６Ａ）を３鋳造部品として全長を３，５ｍ以下として横型全動翼蒸気水重力タービン（１１Ｘ）とした各種エネルギ保存サイクル合体機関及び合体方法。
【請求項１８２】
一体タービン翼群（８Ｇ）水平軸（１６Ａ）を３鋳造部品として全長を４ｍ以下として横型全動翼蒸気水重力タービン（１１Ｘ）とした各種エネルギ保存サイクル合体機関及び合体方法。
【請求項１８３】
一体タービン翼群（８Ｇ）水平軸（１６Ａ）を３鋳造部品として全長を４，５ｍ以下として横型全動翼蒸気水重力タービン（１１Ｘ）とした各種エネルギ保存サイクル合体機関及び合体方法。
【請求項１８４】
一体タービン翼群（８Ｇ）水平軸（１６Ａ）を３鋳造部品として全長を５ｍ以下として横型全動翼蒸気水重力タービン（１１Ｘ）とした各種エネルギ保存サイクル合体機関及び合体方法。
【請求項１８５】
一体タービン翼群（８Ｇ）水平軸（１６Ａ）を３鋳造部品として全長を５，５ｍ以下として横型全動翼蒸気水重力タービン（１１Ｘ）とした各種エネルギ保存サイクル合体機関及び合体方法。
【請求項１８６】
一体タービン翼群（８Ｇ）水平軸（１６Ａ）を３鋳造部品として全長を６ｍ以下として横型全動翼蒸気水重力タービン（１１Ｘ）とした各種エネルギ保存サイクル合体機関及び合体方法。
【請求項１８７】
一体タービン翼群（８Ｇ）水平軸（１６Ａ）を３鋳造部品として全長を６ｍ以上として横型全動翼蒸気水重力タービン（１１Ｘ）とした各種エネルギ保存サイクル合体機関及び合体方法。
【請求項１８８】
一体タービン翼群（８Ｇ）水平軸（１６Ａ）を１鋳造部品として全長を１，５ｍ以下として二重反転機関用旋盤（１０Ｃ）で加工して横型全動翼蒸気水重力タービン（１１Ｘ）とした各種エネルギ保存サイクル合体機関及び合体方法。
【請求項１８９】
一体タービン翼群（８Ｇ）水平軸（１６Ａ）を１鋳造部品として全長を２ｍ以下として二重反転機関用旋盤（１０Ｃ）で加工して横型全動翼蒸気水重力タービン（１１Ｘ）とした各種エネルギ保存サイクル合体機関及び合体方法。
【請求項１９０】
一体タービン翼群（８Ｇ）水平軸（１６Ａ）を１鋳造部品として全長を２，５ｍ以下として二重反転機関用旋盤（１０Ｃ）で加工して横型全動翼蒸気水重力タービン（１１Ｘ）とした各種エネルギ保存サイクル合体機関及び合体方法。
【請求項１９１】
一体タービン翼群（８Ｇ）水平軸（１６Ａ）を１鋳造部品として全長を３ｍ以下として二重反転機関用旋盤（１０Ｃ）で加工して横型全動翼蒸気水重力タービン（１１Ｘ）とした各種エネルギ保存サイクル合体機関及び合体方法。
【請求項１９２】
一体タービン翼群（８Ｇ）水平軸（１６Ａ）を１鋳造部品として全長を３，５ｍ以下として二重反転機関用旋盤（１０Ｃ）で加工して横型全動翼蒸気水重力タービン（１１Ｘ）とした各種エネルギ保存サイクル合体機関及び合体方法。
【請求項１９３】
一体タービン翼群（８Ｇ）水平軸（１６Ａ）を１鋳造部品として全長を４ｍ以下として二重反転機関用旋盤（１０Ｃ）で加工して横型全動翼蒸気水重力タービン（１１Ｘ）とした各種エネルギ保存サイクル合体機関及び合体方法。
【請求項１９４】
一体タービン翼群（８Ｇ）水平軸（１６Ａ）を１鋳造部品として全長を４，５ｍ以下として二重反転機関用旋盤（１０Ｃ）で加工して横型全動翼蒸気水重力タービン（１１Ｘ）とした各種エネルギ保存サイクル合体機関及び合体方法。
【請求項１９５】
一体タービン翼群（８Ｇ）水平軸（１６Ａ）を１鋳造部品として全長を５ｍ以下として二重反転機関用旋盤（１０Ｃ）で加工して横型全動翼蒸気水重力タービン（１１Ｘ）とした各種エネルギ保存サイクル合体機関及び合体方法。
【請求項１９６】
一体タービン翼群（８Ｇ）水平軸（１６Ａ）を１鋳造部品として全長を５，５ｍ以下として二重反転機関用旋盤（１０Ｃ）で加工して横型全動翼蒸気水重力タービン（１１Ｘ）とした各種エネルギ保存サイクル合体機関及び合体方法。
【請求項１９７】
一体タービン翼群（８Ｇ）水平軸（１６Ａ）を１鋳造部品として全長を６ｍ以下として二重反転機関用旋盤（１０Ｃ）で加工して横型全動翼蒸気水重力タービン（１１Ｘ）とした各種エネルギ保存サイクル合体機関及び合体方法。
【請求項１９８】
一体タービン翼群（８Ｇ）水平軸（１６Ａ）を１鋳造部品として全長を６ｍ以上として二重反転機関用旋盤（１０Ｃ）で加工して横型全動翼蒸気水重力タービン（１１Ｘ）とした各種エネルギ保存サイクル合体機関及び合体方法。
【請求項１９９】
一体タービン翼群（８Ｇ）水平軸（１６Ａ）を２鋳造部品として全長を１，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２００】
一体タービン翼群（８Ｇ）水平軸（１６Ａ）を２鋳造部品として全長を２ｍ以下として二重反転機関用旋盤（１０Ｃ）で加工して横型全動翼蒸気水重力タービン（１１Ｘ）とした各種エネルギ保存サイクル合体機関及び合体方法。
【請求項２０１】
一体タービン翼群（８Ｇ）水平軸（１６Ａ）を２鋳造部品として全長を２，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２０２】
一体タービン翼群（８Ｇ）水平軸（１６Ａ）を２鋳造部品として全長を３ｍ以下として二重反転機関用旋盤（１０Ｃ）で加工して横型全動翼蒸気水重力タービン（１１Ｘ）とした各種エネルギ保存サイクル合体機関及び合体方法。
【請求項２０３】
一体タービン翼群（８Ｇ）水平軸（１６Ａ）を２鋳造部品として全長を３，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２０４】
一体タービン翼群（８Ｇ）水平軸（１６Ａ）を２鋳造部品として全長を４ｍ以下として二重反転機関用旋盤（１０Ｃ）で加工して横型全動翼蒸気水重力タービン（１１Ｘ）とした各種エネルギ保存サイクル合体機関及び合体方法。
【請求項２０５】
一体タービン翼群（８Ｇ）水平軸（１６Ａ）を２鋳造部品として全長を４，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２０６】
一体タービン翼群（８Ｇ）水平軸（１６Ａ）を２鋳造部品として全長を５ｍ以下として二重反転機関用旋盤（１０Ｃ）で加工して横型全動翼蒸気水重力タービン（１１Ｘ）とした各種エネルギ保存サイクル合体機関及び合体方法。
【請求項２０７】
一体タービン翼群（８Ｇ）水平軸（１６Ａ）を２鋳造部品として全長を５，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２０８】
一体タービン翼群（８Ｇ）水平軸（１６Ａ）を２鋳造部品として全長を６ｍ以下として二重反転機関用旋盤（１０Ｃ）で加工して横型全動翼蒸気水重力タービン（１１Ｘ）とした各種エネルギ保存サイクル合体機関及び合体方法。
【請求項２０９】
一体タービン翼群（８Ｇ）水平軸（１６Ａ）を２鋳造部品として全長を６ｍ以上として二重反転機関用旋盤（１０Ｃ）で加工して横型全動翼蒸気水重力タービン（１１Ｘ）とした各種エネルギ保存サイクル合体機関及び合体方法。
【請求項２１０】
一体タービン翼群（８Ｇ）水平軸（１６Ａ）を３鋳造部品として全長を１，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１１】
一体タービン翼群（８Ｇ）水平軸（１６Ａ）を３鋳造部品として全長を２ｍ以下として二重反転機関用旋盤（１０Ｃ）で加工して横型全動翼蒸気水重力タービン（１１Ｘ）とした各種エネルギ保存サイクル合体機関及び合体方法。
【請求項２１２】
一体タービン翼群（８Ｇ）水平軸（１６Ａ）を３鋳造部品として全長を２，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１３】
一体タービン翼群（８Ｇ）水平軸（１６Ａ）を３鋳造部品として全長を３ｍ以下として二重反転機関用旋盤（１０Ｃ）で加工して横型全動翼蒸気水重力タービン（１１Ｘ）とした各種エネルギ保存サイクル合体機関及び合体方法。
【請求項２１４】
一体タービン翼群（８Ｇ）水平軸（１６Ａ）を３鋳造部品として全長を３，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１５】
一体タービン翼群（８Ｇ）水平軸（１６Ａ）を３鋳造部品として全長を４ｍ以下として二重反転機関用旋盤（１０Ｃ）で加工して横型全動翼蒸気水重力タービン（１１Ｘ）とした各種エネルギ保存サイクル合体機関及び合体方法。
【請求項２１６】
一体タービン翼群（８Ｇ）水平軸（１６Ａ）を３鋳造部品として全長を４，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１７】
一体タービン翼群（８Ｇ）水平軸（１６Ａ）を３鋳造部品として全長を５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１８】
一体タービン翼群（８Ｇ）水平軸（１６Ａ）を３鋳造部品として全長を５，５ｍ以下として二重反転機関用旋盤（１０Ｃ）で加工して横型全動翼蒸気水重力タービン（１１Ｘ）とした各種エネルギ保存サイクル合体機関及び合体方法。
【請求項２１９】
一体タービン翼群（８Ｇ）水平軸（１６Ａ）を３鋳造部品として全長を６ｍ以下として二重反転機関用旋盤（１０Ｃ）で加工して横型全動翼蒸気水重力タービン（１１Ｘ）とした各種エネルギ保存サイクル合体機関及び合体方法。
【請求項２２０】
一体タービン翼群（８Ｇ）水平軸（１６Ａ）を３鋳造部品として全長を６ｍ以上として二重反転機関用旋盤（１０Ｃ）で加工して横型全動翼蒸気水重力タービン（１１Ｘ）とした各種エネルギ保存サイクル合体機関及び合体方法。
【請求項２２１】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２２】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２３】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２４】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２５】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２６】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２７】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２８】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２２９】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３０】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３１】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３２】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３３】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３４】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３５】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３６】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３７】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３８】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２３９】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４０】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４１】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４２】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４３】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４４】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４５】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４６】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４７】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４８】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２４９】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２５０】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２５１】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２５２】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２５３】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工して横型全動翼蒸気水重力タービン（１１Ｘ）とした各種エネルギ保存サイクル合体機関及び合体方法。
【請求項２５４】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２５５】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２５６】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２５７】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２５８】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２５９】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６０】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６１】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６２】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６３】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６４】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６５】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６６】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６７】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６８】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２６９】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７０】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７１】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７２】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７３】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７４】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７５】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７６】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７７】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７８】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２７９】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８０】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８１】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８２】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８３】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８４】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８５】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８６】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気水重力タービン（１１Ｘ）とした各種エネルギ保存サイクル合体機関及び合体方法。
【請求項２８７】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２８８】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２８９】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９０】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９１】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９２】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９３】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９４】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９５】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９６】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９７】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９８】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項２９９】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３００】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０１】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０２】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０３】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０４】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０５】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０６】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０７】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０８】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３０９】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１０】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１１】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１２】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１３】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１４】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１５】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１６】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１７】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１８】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３１９】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気水重力タービン（１１Ｘ）とした各種エネルギ保存サイクル合体機関及び合体方法。
【請求項３２０】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２１】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２２】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２３】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２４】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２５】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２６】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２７】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２８】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３２９】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３０】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３１】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３２】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３３】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３４】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３５】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３６】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３７】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３８】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３３９】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４０】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４１】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４２】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４３】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４４】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４５】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４６】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４７】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４８】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３４９】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３５０】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３５１】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３５２】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気水重力タービン（１１Ｘ）とした各種エネルギ保存サイクル合体機関及び合体方法。
【請求項３５３】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５４】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５５】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５６】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５７】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５８】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３５９】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６０】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６１】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６２】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６３】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６４】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６５】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６６】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６７】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６８】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３６９】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７０】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７１】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７２】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７３】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７４】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７５】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７６】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７７】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７８】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３７９】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８０】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８１】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８２】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８３】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８４】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８５】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気水重力タービン（１１Ｘ）とした各種エネルギ保存サイクル合体機関及び合体方法。
【請求項３８６】
内側出力翼群（５３Ｂ）を１段として外側出力翼群（５３Ａ）を２段として液体酸素製造機（８９Ａ）とした各種エネルギ保存サイクル合体機関及び合体方法。
【請求項３８７】
内側出力翼群（５３Ｂ）を２段として外側出力翼群（５３Ａ）を３段として液体酸素製造機（８９Ａ）とした各種エネルギ保存サイクル合体機関及び合体方法。
【請求項３８８】
内側出力翼群（５３Ｂ）を３段として外側出力翼群（５３Ａ）を４段として液体酸素製造機（８９Ａ）とした各種エネルギ保存サイクル合体機関及び合体方法。
【請求項３８９】
内側出力翼群（５３Ｂ）を４段として外側出力翼群（５３Ａ）を５段として液体酸素製造機（８９Ａ）とした各種エネルギ保存サイクル合体機関及び合体方法。
【請求項３９０】
内側出力翼群（５３Ｂ）を５段として外側出力翼群（５３Ａ）を６段として液体酸素製造機（８９Ａ）とした各種エネルギ保存サイクル合体機関及び合体方法。
【請求項３９１】
内側出力翼群（５３Ｂ）を６段として外側出力翼群（５３Ａ）を７段として液体酸素製造機（８９Ａ）とした各種エネルギ保存サイクル合体機関及び合体方法。
【請求項３９２】
内側出力翼群（５３Ｂ）を７段として外側出力翼群（５３Ａ）を８段として液体酸素製造機（８９Ａ）とした各種エネルギ保存サイクル合体機関及び合体方法。
【請求項３９３】
内側出力翼群（５３Ｂ）を８段として外側出力翼群（５３Ａ）を９段として液体酸素製造機（８９Ａ）とした各種エネルギ保存サイクル合体機関及び合体方法。
【請求項３９４】
内側出力翼群（５３Ｂ）を９段として外側出力翼群（５３Ａ）を１０段として液体酸素製造機（８９Ａ）とした各種エネルギ保存サイクル合体機関及び合体方法。
【請求項３９５】
内側出力翼群（５３Ｂ）を１０段として外側出力翼群（５３Ａ）を１１段として液体酸素製造機（８９Ａ）とした各種エネルギ保存サイクル合体機関及び合体方法。
【請求項３９６】
内側出力翼群（５３Ｂ）を１１段として外側出力翼群（５３Ａ）を１２段として液体酸素製造機（８９Ａ）とした各種エネルギ保存サイクル合体機関及び合体方法。
【請求項３９７】
内側出力翼群（５３Ｂ）を１段として外側出力翼群（５３Ａ）を２段として夫々の段を１鋳造部品として液体酸素製造機（８９Ａ）とした各種エネルギ保存サイクル合体機関及び合体方法。
【請求項３９８】
内側出力翼群（５３Ｂ）を２段として外側出力翼群（５３Ａ）を３段として夫々の段を１鋳造部品として液体酸素製造機（８９Ａ）とした各種エネルギ保存サイクル合体機関及び合体方法。
【請求項３９９】
内側出力翼群（５３Ｂ）を３段として外側出力翼群（５３Ａ）を４段として夫々の段を１鋳造部品として液体酸素製造機（８９Ａ）とした各種エネルギ保存サイクル合体機関及び合体方法。
【請求項４００】
内側出力翼群（５３Ｂ）を４段として外側出力翼群（５３Ａ）を５段として夫々の段を１鋳造部品として液体酸素製造機（８９Ａ）とした各種エネルギ保存サイクル合体機関及び合体方法。
【請求項４０１】
内側出力翼群（５３Ｂ）を５段として外側出力翼群（５３Ａ）を６段として夫々の段を１鋳造部品として液体酸素製造機（８９Ａ）とした各種エネルギ保存サイクル合体機関及び合体方法。
【請求項４０２】
内側出力翼群（５３Ｂ）を６段として外側出力翼群（５３Ａ）を７段として夫々の段を１鋳造部品として液体酸素製造機（８９Ａ）とした各種エネルギ保存サイクル合体機関及び合体方法。
【請求項４０３】
内側出力翼群（５３Ｂ）を７段として外側出力翼群（５３Ａ）を８段として夫々の段を１鋳造部品として液体酸素製造機（８９Ａ）とした各種エネルギ保存サイクル合体機関及び合体方法。
【請求項４０４】
内側出力翼群（５３Ｂ）を８段として外側出力翼群（５３Ａ）を９段として夫々の段を１鋳造部品として液体酸素製造機（８９Ａ）とした各種エネルギ保存サイクル合体機関及び合体方法。
【請求項４０５】
内側出力翼群（５３Ｂ）を９段として外側出力翼群（５３Ａ）を１０段として夫々の段を１鋳造部品として液体酸素製造機（８９Ａ）とした各種エネルギ保存サイクル合体機関及び合体方法。
【請求項４０６】
内側出力翼群（５３Ｂ）を１０段として外側出力翼群（５３Ａ）を１１段として夫々の段を１鋳造部品として液体酸素製造機（８９Ａ）とした各種エネルギ保存サイクル合体機関及び合体方法。
【請求項４０７】
内側出力翼群（５３Ｂ）を１１段として外側出力翼群（５３Ａ）を１２段として夫々の段を１鋳造部品として液体酸素製造機（８９Ａ）とした各種エネルギ保存サイクル合体機関及び合体方法。
【請求項４０８】
内側出力翼群（５３Ｂ）を１段として外側出力翼群（５３Ａ）を２段として夫々の段を１鋳造部品として二重反転機関用旋盤（１０Ｃ）で加工して液体酸素製造機（８９Ａ）とした各種エネルギ保存サイクル合体機関及び合体方法。
【請求項４０９】
内側出力翼群（５３Ｂ）を２段として外側出力翼群（５３Ａ）を３段として夫々の段を１鋳造部品として二重反転機関用旋盤（１０Ｃ）で加工して液体酸素製造機（８９Ａ）とした各種エネルギ保存サイクル合体機関及び合体方法。
【請求項４１０】
内側出力翼群（５３Ｂ）を３段として外側出力翼群（５３Ａ）を４段として夫々の段を１鋳造部品として二重反転機関用旋盤（１０Ｃ）で加工して液体酸素製造機（８９Ａ）とした各種エネルギ保存サイクル合体機関及び合体方法。
【請求項４１１】
内側出力翼群（５３Ｂ）を４段として外側出力翼群（５３Ａ）を５段として夫々の段を１鋳造部品として二重反転機関用旋盤（１０Ｃ）で加工して液体酸素製造機（８９Ａ）とした各種エネルギ保存サイクル合体機関及び合体方法。
【請求項４１２】
内側出力翼群（５３Ｂ）を５段として外側出力翼群（５３Ａ）を６段として夫々の段を１鋳造部品として二重反転機関用旋盤（１０Ｃ）で加工して液体酸素製造機（８９Ａ）とした各種エネルギ保存サイクル合体機関及び合体方法。
【請求項４１３】
内側出力翼群（５３Ｂ）を６段として外側出力翼群（５３Ａ）を７段として夫々の段を１鋳造部品として二重反転機関用旋盤（１０Ｃ）で加工して液体酸素製造機（８９Ａ）とした各種エネルギ保存サイクル合体機関及び合体方法。
【請求項４１４】
内側出力翼群（５３Ｂ）を７段として外側出力翼群（５３Ａ）を８段として夫々の段を１鋳造部品として二重反転機関用旋盤（１０Ｃ）で加工して液体酸素製造機（８９Ａ）とした各種エネルギ保存サイクル合体機関及び合体方法。
【請求項４１５】
内側出力翼群（５３Ｂ）を８段として外側出力翼群（５３Ａ）を９段として夫々の段を１鋳造部品として二重反転機関用旋盤（１０Ｃ）で加工して液体酸素製造機（８９Ａ）とした各種エネルギ保存サイクル合体機関及び合体方法。
【請求項４１６】
内側出力翼群（５３Ｂ）を９段として外側出力翼群（５３Ａ）を１０段として夫々の段を１鋳造部品として二重反転機関用旋盤（１０Ｃ）で加工して液体酸素製造機（８９Ａ）とした各種エネルギ保存サイクル合体機関及び合体方法。
【請求項４１７】
内側出力翼群（５３Ｂ）を１０段として外側出力翼群（５３Ａ）を１１段として夫々の段を１鋳造部品として二重反転機関用旋盤（１０Ｃ）で加工して液体酸素製造機（８９Ａ）とした各種エネルギ保存サイクル合体機関及び合体方法。
【請求項４１８】
内側出力翼群（５３Ｂ）を１１段として外側出力翼群（５３Ａ）を１２段として夫々の段を１鋳造部品として二重反転機関用旋盤（１０Ｃ）で加工して液体酸素製造機（８９Ａ）とした各種エネルギ保存サイクル合体機関及び合体方法。
【請求項４１９】
内側出力翼群（５３Ｂ）を１段として外側出力翼群（５３Ａ）を２段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２０】
内側出力翼群（５３Ｂ）を２段として外側出力翼群（５３Ａ）を３段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２１】
内側出力翼群（５３Ｂ）を３段として外側出力翼群（５３Ａ）を４段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２２】
内側出力翼群（５３Ｂ）を４段として外側出力翼群（５３Ａ）を５段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２３】
内側出力翼群（５３Ｂ）を５段として外側出力翼群（５３Ａ）を６段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２４】
内側出力翼群（５３Ｂ）を６段として外側出力翼群（５３Ａ）を７段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２５】
内側出力翼群（５３Ｂ）を７段として外側出力翼群（５３Ａ）を８段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２６】
内側出力翼群（５３Ｂ）を８段として外側出力翼群（５３Ａ）を９段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２７】
内側出力翼群（５３Ｂ）を９段として外側出力翼群（５３Ａ）を１０段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２８】
内側出力翼群（５３Ｂ）を１０段として外側出力翼群（５３Ａ）を１１段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４２９】
内側出力翼群（５３Ｂ）を１１段として外側出力翼群（５３Ａ）を１２段として夫々の段を１鋳造部品として二重反転機関用旋盤（１０Ｃ）と出力翼用研削盤（１０Ｅ）で加工して液体酸素製造機（８９Ａ）とした各種エネルギ保存サイクル合体機関及び合体方法。
【請求項４３０】
内側出力翼群（５３Ｂ）を１段として外側出力翼群（５３Ａ）を２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３１】
内側出力翼群（５３Ｂ）を２段として外側出力翼群（５３Ａ）を３段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３２】
内側出力翼群（５３Ｂ）を３段として外側出力翼群（５３Ａ）を４段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３３】
内側出力翼群（５３Ｂ）を４段として外側出力翼群（５３Ａ）を５段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３４】
内側出力翼群（５３Ｂ）を５段として外側出力翼群（５３Ａ）を６段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３５】
内側出力翼群（５３Ｂ）を６段として外側出力翼群（５３Ａ）を７段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３６】
内側出力翼群（５３Ｂ）を７段として外側出力翼群（５３Ａ）を８段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３７】
内側出力翼群（５３Ｂ）を８段として外側出力翼群（５３Ａ）を９段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３８】
内側出力翼  群（５３Ｂ）を９段として外側出力翼群（５３Ａ）を１０段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４３９】
内側出力翼群（５３Ｂ）を１０段として外側出力翼群（５３Ａ）を１１段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４４０】
内側出力翼群（５３Ｂ）を１１段として外側出力翼群（５３Ａ）を１２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して液体酸素製造機（８９Ａ）とした各種エネルギ保存サイクル合体機関及び合体方法。
【請求項４４１】
内側出力翼群（５３Ｂ）を１段として外側出力翼群（５３Ａ）を２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４２】
内側出力翼群（５３Ｂ）を２段として外側出力翼群（５３Ａ）を３段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４３】
内側出力翼群（５３Ｂ）を３段として外側出力翼群（５３Ａ）を４段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４４】
内側出力翼群（５３Ｂ）を４段として外側出力翼群（５３Ａ）を５段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４５】
内側出力翼群（５３Ｂ）を５段として外側出力翼群（５３Ａ）を６段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４６】
内側出力翼群（５３Ｂ）を６段として外側出力翼群（５３Ａ）を７段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４７】
内側出力翼群（５３Ｂ）を７段として外側出力翼群（５３Ａ）を８段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４８】
内側出力翼群（５３Ｂ）を８段として外側出力翼群（５３Ａ）を９段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４４９】
内側出力翼群（５３Ｂ）を９段として外側出力翼群（５３Ａ）を１０段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４５０】
内側出力翼群（５３Ｂ）を１０段として外側出力翼群（５３Ａ）を１１段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４５１】
内側出力翼群（５３Ｂ）を１１段として外側出力翼群（５３Ａ）を１２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転歯車装置（８５Ｙ）で水平連結駆動する液体酸素製造機（８９Ａ）とした各種エネルギ保存サイクル合体機関及び合体方法。
【請求項４５２】
内側出力翼群（５３Ｂ）を１段として外側出力翼群（５３Ａ）を２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５３】
内側出力翼群（５３Ｂ）を２段として外側出力翼群（５３Ａ）を３段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５４】
内側出力翼群（５３Ｂ）を３段として外側出力翼群（５３Ａ）を４段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５５】
内側出力翼群（５３Ｂ）を４段として外側出力翼群（５３Ａ）を５段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５６】
内側出力翼群（５３Ｂ）を５段として外側出力翼群（５３Ａ）を６段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５７】
内側出力翼群（５３Ｂ）を６段として外側出力翼群（５３Ａ）を７段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５８】
内側出力翼群（５３Ｂ）を７段として外側出力翼群（５３Ａ）を８段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４５９】
内側出力翼群（５３Ｂ）を８段として外側出力翼群（５３Ａ）を９段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４６０】
内側出力翼群（５３Ｂ）を９段として外側出力翼群（５３Ａ）を１０段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４６１】
内側出力翼群（５３Ｂ）を１０段として外側出力翼群（５３Ａ）を１１段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４６２】
内側出力翼群（５３Ｂ）を１１段として外側出力翼群（５３Ａ）を１２段として夫々の段を１鋳造部品として二重反転機関用旋盤（１０Ｃ）と出力翼用研削盤（１０Ｅ）で加工して外側軸装置（６０Ｂ）内側軸装置（６０Ａ）夫々を仮組立して二重反転機関用旋盤（１０Ｃ）で保持超高速バランス調整加工して各種磁気利用し軸受荷重０接近の外側軸装置（６０Ｂ）内側軸装置（６０Ａ）を二重反転磁気装置（８５）で水平連結駆動する液体酸素製造機（８９Ａ）とした各種エネルギ保存サイクル合体機関及び合体方法。
【請求項４６３】
一体タービン翼群（８Ｇ）水平軸（１６Ａ）を１鋳造部品として全長を１，５ｍ以下として横型全動翼蒸気比重大物質重力タービン（１１Ｗ）とした各種エネルギ保存サイクル合体機関及び合体方法。
【請求項４６４】
一体タービン翼群（８Ｇ）水平軸（１６Ａ）を１鋳造部品として全長を２ｍ以下として横型全動翼蒸気比重大物質重力タービン（１１Ｗ）とした各種エネルギ保存サイクル合体機関及び合体方法。
【請求項４６５】
一体タービン翼群（８Ｇ）水平軸（１６Ａ）を１鋳造部品として全長を２，５ｍ以下として横型全動翼蒸気比重大物質重力タービン（１１Ｗ）とした各種エネルギ保存サイクル合体機関及び合体方法。
【請求項４６６】
一体タービン翼群（８Ｇ）水平軸（１６Ａ）を１鋳造部品として全長を３ｍ以下として横型全動翼蒸気比重大物質重力タービン（１１Ｗ）とした各種エネルギ保存サイクル合体機関及び合体方法。
【請求項４６７】
一体タービン翼群（８Ｇ）水平軸（１６Ａ）を１鋳造部品として全長を３，５ｍ以下として横型全動翼蒸気比重大物質重力タービン（１１Ｗ）とした各種エネルギ保存サイクル合体機関及び合体方法。
【請求項４６８】
一体タービン翼群（８Ｇ）水平軸（１６Ａ）を１鋳造部品として全長を４ｍ以下として横型全動翼蒸気比重大物質重力タービン（１１Ｗ）とした各種エネルギ保存サイクル合体機関及び合体方法。
【請求項４６９】
一体タービン翼群（８Ｇ）水平軸（１６Ａ）を１鋳造部品として全長を４，５ｍ以下として横型全動翼蒸気比重大物質重力タービン（１１Ｗ）とした各種エネルギ保存サイクル合体機関及び合体方法。
【請求項４７０】
一体タービン翼群（８Ｇ）水平軸（１６Ａ）を１鋳造部品として全長を５ｍ以下として横型全動翼蒸気比重大物質重力タービン（１１Ｗ）とした各種エネルギ保存サイクル合体機関及び合体方法。
【請求項４７１】
一体タービン翼群（８Ｇ）水平軸（１６Ａ）を１鋳造部品として全長を５，５ｍ以下として横型全動翼蒸気比重大物質重力タービン（１１Ｗ）とした各種エネルギ保存サイクル合体機関及び合体方法。
【請求項４７２】
一体タービン翼群（８Ｇ）水平軸（１６Ａ）を１鋳造部品として全長を６ｍ以下として横型全動翼蒸気比重大物質重力タービン（１１Ｗ）とした各種エネルギ保存サイクル合体機関及び合体方法。
【請求項４７３】
一体タービン翼群（８Ｇ）水平軸（１６Ａ）を１鋳造部品として全長を６ｍ以上として横型全動翼蒸気比重大物質重力タービン（１１Ｗ）とした各種エネルギ保存サイクル合体機関及び合体方法。
【請求項４７４】
一体タービン翼群（８Ｇ）水平軸（１６Ａ）を２鋳造部品として全長を１，５ｍ以下として横型全動翼蒸気比重大物質重力タービン（１１Ｗ）とした各種エネルギ保存サイクル合体機関及び合体方法。
【請求項４７５】
一体タービン翼群（８Ｇ）水平軸（１６Ａ）を２鋳造部品として全長を２ｍ以下として横型全動翼蒸気比重大物質重力タービン（１１Ｗ）とした各種エネルギ保存サイクル合体機関及び合体方法。
【請求項４７６】
一体タービン翼群（８Ｇ）水平軸（１６Ａ）を２鋳造部品として全長を２，５ｍ以下として横型全動翼蒸気比重大物質重力タービン（１１Ｗ）とした各種エネルギ保存サイクル合体機関及び合体方法。
【請求項４７７】
一体タービン翼群（８Ｇ）水平軸（１６Ａ）を２鋳造部品として全長を３ｍ以下として横型全動翼蒸気比重大物質重力タービン（１１Ｗ）とした各種エネルギ保存サイクル合体機関及び合体方法。
【請求項４７８】
一体タービン翼群（８Ｇ）水平軸（１６Ａ）を２鋳造部品として全長を３，５ｍ以下として横型全動翼蒸気比重大物質重力タービン（１１Ｗ）とした各種エネルギ保存サイクル合体機関及び合体方法。
【請求項４７９】
一体タービン翼群（８Ｇ）水平軸（１６Ａ）を２鋳造部品として全長を４ｍ以下として横型全動翼蒸気比重大物質重力タービン（１１Ｗ）とした各種エネルギ保存サイクル合体機関及び合体方法。
【請求項４８０】
一体タービン翼群（８Ｇ）水平軸（１６Ａ）を２鋳造部品として全長を４，５ｍ以下として横型全動翼蒸気比重大物質重力タービン（１１Ｗ）とした各種エネルギ保存サイクル合体機関及び合体方法。
【請求項４８１】
一体タービン翼群（８Ｇ）水平軸（１６Ａ）を２鋳造部品として全長を５ｍ以下として横型全動翼蒸気比重大物質重力タービン（１１Ｗ）とした各種エネルギ保存サイクル合体機関及び合体方法。
【請求項４８２】
一体タービン翼群（８Ｇ）水平軸（１６Ａ）を２鋳造部品として全長を５，５ｍ以下として横型全動翼蒸気比重大物質重力タービン（１１Ｗ）とした各種エネルギ保存サイクル合体機関及び合体方法。
【請求項４８３】
一体タービン翼群（８Ｇ）水平軸（１６Ａ）を２鋳造部品として全長を６ｍ以下として横型全動翼蒸気比重大物質重力タービン（１１Ｗ）とした各種エネルギ保存サイクル合体機関及び合体方法。
【請求項４８４】
一体タービン翼群（８Ｇ）水平軸（１６Ａ）を２鋳造部品として全長を６ｍ以上として横型全動翼蒸気比重大物質重力タービン（１１Ｗ）とした各種エネルギ保存サイクル合体機関及び合体方法。
【請求項４８５】
一体タービン翼群（８Ｇ）水平軸（１６Ａ）を３鋳造部品として全長を１，５ｍ以下として横型全動翼蒸気比重大物質重力タービン（１１Ｗ）とした各種エネルギ保存サイクル合体機関及び合体方法。
【請求項４８６】
一体タービン翼群（８Ｇ）水平軸（１６Ａ）を３鋳造部品として全長を２ｍ以下として横型全動翼蒸気比重大物質重力タービン（１１Ｗ）とした各種エネルギ保存サイクル合体機関及び合体方法。
【請求項４８７】
一体タービン翼群（８Ｇ）水平軸（１６Ａ）を３鋳造部品として全長を２，５ｍ以下として横型全動翼蒸気比重大物質重力タービン（１１Ｗ）とした各種エネルギ保存サイクル合体機関及び合体方法。
【請求項４８８】
一体タービン翼群（８Ｇ）水平軸（１６Ａ）を３鋳造部品として全長を３ｍ以下として横型全動翼蒸気比重大物質重力タービン（１１Ｗ）とした各種エネルギ保存サイクル合体機関及び合体方法。
【請求項４８９】
一体タービン翼群（８Ｇ）水平軸（１６Ａ）を３鋳造部品として全長を３，５ｍ以下として横型全動翼蒸気比重大物質重力タービン（１１Ｗ）とした各種エネルギ保存サイクル合体機関及び合体方法。
【請求項４９０】
一体タービン翼群（８Ｇ）水平軸（１６Ａ）を３鋳造部品として全長を４ｍ以下として横型全動翼蒸気比重大物質重力タービン（１１Ｗ）とした各種エネルギ保存サイクル合体機関及び合体方法。
【請求項４９１】
一体タービン翼群（８Ｇ）水平軸（１６Ａ）を３鋳造部品として全長を４，５ｍ以下として横型全動翼蒸気比重大物質重力タービン（１１Ｗ）とした各種エネルギ保存サイクル合体機関及び合体方法。
【請求項４９２】
一体タービン翼群（８Ｇ）水平軸（１６Ａ）を３鋳造部品として全長を５ｍ以下として横型全動翼蒸気比重大物質重力タービン（１１Ｗ）とした各種エネルギ保存サイクル合体機関及び合体方法。
【請求項４９３】
一体タービン翼群（８Ｇ）水平軸（１６Ａ）を３鋳造部品として全長を５，５ｍ以下として横型全動翼蒸気比重大物質重力タービン（１１Ｗ）とした各種エネルギ保存サイクル合体機関及び合体方法。
【請求項４９４】
一体タービン翼群（８Ｇ）水平軸（１６Ａ）を３鋳造部品として全長を６ｍ以下として横型全動翼蒸気比重大物質重力タービン（１１Ｗ）とした各種エネルギ保存サイクル合体機関及び合体方法。
【請求項４９５】
一体タービン翼群（８Ｇ）水平軸（１６Ａ）を３鋳造部品として全長を６ｍ以上として横型全動翼蒸気比重大物質重力タービン（１１Ｗ）とした各種エネルギ保存サイクル合体機関及び合体方法。
【請求項４９６】
一体タービン翼群（８Ｇ）水平軸（１６Ａ）を１鋳造部品として全長を１，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項４９７】
一体タービン翼群（８Ｇ）水平軸（１６Ａ）を１鋳造部品として全長を２ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項４９８】
一体タービン翼群（８Ｇ）水平軸（１６Ａ）を１鋳造部品として全長を２，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項４９９】
一体タービン翼群（８Ｇ）水平軸（１６Ａ）を１鋳造部品として全長を３ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５００】
一体タービン翼群（８Ｇ）水平軸（１６Ａ）を１鋳造部品として全長を３，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０１】
一体タービン翼群（８Ｇ）水平軸（１６Ａ）を１鋳造部品として全長を４ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０２】
一体タービン翼群（８Ｇ）水平軸（１６Ａ）を１鋳造部品として全長を４，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０３】
一体タービン翼群（８Ｇ）水平軸（１６Ａ）を１鋳造部品として全長を５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０４】
一体タービン翼群（８Ｇ）水平軸（１６Ａ）を１鋳造部品として全長を５，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０５】
一体タービン翼群（８Ｇ）水平軸（１６Ａ）を１鋳造部品として全長を６ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０６】
一体タービン翼群（８Ｇ）水平軸（１６Ａ）を１鋳造部品として全長を６ｍ以上として二重反転機関用旋盤（１０Ｃ）で加工して横型全動翼蒸気比重大物質重力タービン（１１Ｗ）とした各種エネルギ保存サイクル合体機関及び合体方法。
【請求項５０７】
一体タービン翼群（８Ｇ）水平軸（１６Ａ）を２鋳造部品として全長を１，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０８】
一体タービン翼群（８Ｇ）水平軸（１６Ａ）を２鋳造部品として全長を２ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５０９】
一体タービン翼群（８Ｇ）水平軸（１６Ａ）を２鋳造部品として全長を２，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１０】
一体タービン翼群（８Ｇ）水平軸（１６Ａ）を２鋳造部品として全長を３ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１１】
一体タービン翼群（８Ｇ）水平軸（１６Ａ）を２鋳造部品として全長を３，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１２】
一体タービン翼群（８Ｇ）水平軸（１６Ａ）を２鋳造部品として全長を４ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１３】
一体タービン翼群（８Ｇ）水平軸（１６Ａ）を２鋳造部品として全長を４，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１４】
一体タービン翼群（８Ｇ）水平軸（１６Ａ）を２鋳造部品として全長を５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１５】
一体タービン翼群（８Ｇ）水平軸（１６Ａ）を２鋳造部品として全長を５，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１６】
一体タービン翼群（８Ｇ）水平軸（１６Ａ）を２鋳造部品として全長を６ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１７】
一体タービン翼群（８Ｇ）水平軸（１６Ａ）を２鋳造部品として全長を６ｍ以上として二重反転機関用旋盤（１０Ｃ）で加工して横型全動翼蒸気比重大物質重力タービン（１１Ｗ）とした各種エネルギ保存サイクル合体機関及び合体方法。
【請求項５１８】
一体タービン翼群（８Ｇ）水平軸（１６Ａ）を３鋳造部品として全長を１，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５１９】
一体タービン翼群（８Ｇ）水平軸（１６Ａ）を３鋳造部品として全長を２ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２０】
一体タービン翼群（８Ｇ）水平軸（１６Ａ）を３鋳造部品として全長を２，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２１】
一体タービン翼群（８Ｇ）水平軸（１６Ａ）を３鋳造部品として全長を３ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２２】
一体タービン翼群（８Ｇ）水平軸（１６Ａ）を３鋳造部品として全長を３，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２３】
一体タービン翼群（８Ｇ）水平軸（１６Ａ）を３鋳造部品として全長を４ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２４】
一体タービン翼群（８Ｇ）水平軸（１６Ａ）を３鋳造部品として全長を４，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２５】
一体タービン翼群（８Ｇ）水平軸（１６Ａ）を３鋳造部品として全長を５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２６】
一体タービン翼群（８Ｇ）水平軸（１６Ａ）を３鋳造部品として全長を５，５ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２７】
一体タービン翼群（８Ｇ）水平軸（１６Ａ）を３鋳造部品として全長を６ｍ以下として二重反転機関用旋盤（１０Ｃ）で加工して横型全動翼蒸気比重大物質重力タービン（１１Ｗ）とした各種エネルギ保存サイクル合体機関及び合体方法。
【請求項５２８】
一体タービン翼群（８Ｇ）水平軸（１６Ａ）を３鋳造部品として全長を６ｍ以上として二重反転機関用旋盤（１０Ｃ）で加工して横型全動翼蒸気比重大物質重力タービン（１１Ｗ）とした各種エネルギ保存サイクル合体機関及び合体方法。
【請求項５２９】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３０】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３１】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３２】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３３】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３４】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３５】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３６】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３７】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３８】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５３９】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４０】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４１】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４２】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４３】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４４】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４５】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４６】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４７】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４８】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５４９】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５０】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５１】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５２】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５３】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５４】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５５】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５６】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５７】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５８】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５５９】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５６０】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５６１】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工して横型全動翼蒸気比重大物質重力タービン（１１Ｗ）とした各種エネルギ保存サイクル合体機関及び合体方法。
【請求項５６２】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６３】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６４】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６５】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６６】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６７】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６８】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５６９】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７０】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７１】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７２】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７３】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７４】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７５】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７６】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７７】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７８】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５７９】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８０】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８１】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８２】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８３】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８４】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８５】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８６】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８７】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８８】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５８９】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９０】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９１】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９２】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９３】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９４】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して横型全動翼蒸気比重大物質重力タービン（１１Ｗ）とした各種エネルギ保存サイクル合体機関及び合体方法。
【請求項５９５】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項５９６】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項５９７】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項５９８】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項５９９】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６００】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０１】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０２】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０３】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０４】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０５】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０６】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０７】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０８】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６０９】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１０】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１１】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１２】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１３】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１４】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１５】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１６】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１７】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１８】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６１９】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２０】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２１】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２２】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２３】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２４】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２５】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２６】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２７】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして横型全動翼蒸気比重大物質重力タービン（１１Ｗ）とした各種エネルギ保存サイクル合体機関及び合体方法。
【請求項６２８】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６２９】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３０】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３１】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３２】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３３】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３４】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３５】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３６】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３７】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３８】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６３９】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４０】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４１】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４２】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４３】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４４】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４５】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４６】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４７】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４８】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６４９】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５０】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５１】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５２】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５３】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５４】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５５】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５６】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５７】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５８】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６５９】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６６０】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして直列同回転歯車（４Ｄ）で垂直連結駆動する横型全動翼蒸気比重大物質重力タービン（１１Ｗ）とした各種エネルギ保存サイクル合体機関及び合体方法。
【請求項６６１】
一体タービン翼群（８Ｇ）水平軸（１６Ａ）を１鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６２】
一体タービン翼群（８Ｇ）水平軸（１６Ａ）を１鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６３】
一体タービン翼群（８Ｇ）水平軸（１６Ａ）を１鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６４】
一体タービン翼群（８Ｇ）水平軸（１６Ａ）を１鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６５】
一体タービン翼群（８Ｇ）水平軸（１６Ａ）を１鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６６】
一体タービン翼群（８Ｇ）水平軸（１６Ａ）を１鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６７】
一体タービン翼群（８Ｇ）水平軸（１６Ａ）を１鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６８】
一体タービン翼群（８Ｇ）水平軸（１６Ａ）を１鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６６９】
一体タービン翼群（８Ｇ）水平軸（１６Ａ）を１鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７０】
一体タービン翼群（８Ｇ）水平軸（１６Ａ）を１鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７１】
一体タービン翼群（８Ｇ）水平軸（１６Ａ）を１鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７２】
一体タービン翼群（８Ｇ）水平軸（１６Ａ）を２鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７３】
一体タービン翼群（８Ｇ）水平軸（１６Ａ）を２鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７４】
一体タービン翼群（８Ｇ）水平軸（１６Ａ）を２鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７５】
一体タービン翼群（８Ｇ）水平軸（１６Ａ）を２鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７６】
一体タービン翼群（８Ｇ）水平軸（１６Ａ）を２鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７７】
一体タービン翼群（８Ｇ）水平軸（１６Ａ）を２鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７８】
一体タービン翼群（８Ｇ）水平軸（１６Ａ）を２鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６７９】
一体タービン翼群（８Ｇ）水平軸（１６Ａ）を２鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８０】
一体タービン翼群（８Ｇ）水平軸（１６Ａ）を２鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８１】
一体タービン翼群（８Ｇ）水平軸（１６Ａ）を２鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８２】
一体タービン翼群（８Ｇ）水平軸（１６Ａ）を２鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８３】
一体タービン翼群（８Ｇ）水平軸（１６Ａ）を３鋳造部品として全長を１，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８４】
一体タービン翼群（８Ｇ）水平軸（１６Ａ）を３鋳造部品として全長を２ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８５】
一体タービン翼群（８Ｇ）水平軸（１６Ａ）を３鋳造部品として全長を２，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８６】
一体タービン翼群（８Ｇ）水平軸（１６Ａ）を３鋳造部品として全長を３ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８７】
一体タービン翼群（８Ｇ）水平軸（１６Ａ）を３鋳造部品として全長を３，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８８】
一体タービン翼群（８Ｇ）水平軸（１６Ａ）を３鋳造部品として全長を４ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６８９】
一体タービン翼群（８Ｇ）水平軸（１６Ａ）を３鋳造部品として全長を４，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６９０】
一体タービン翼群（８Ｇ）水平軸（１６Ａ）を３鋳造部品として全長を５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６９１】
一体タービン翼群（８Ｇ）水平軸（１６Ａ）を３鋳造部品として全長を５，５ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６９２】
一体タービン翼群（８Ｇ）水平軸（１６Ａ）を３鋳造部品として全長を６ｍ以下として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【請求項６９３】
一体タービン翼群（８Ｇ）水平軸（１６Ａ）を３鋳造部品として全長を６ｍ以上として二重反転機関用旋盤（１０Ｃ）とタービン翼用研削盤（１０Ｇ）で加工本組立てして二重反転機関用旋盤（１０Ｃ）で保持超高速バランス調整加工して各種磁気利用し軸受荷重０接近の軸受（１２Ｃ）にして対向同期歯車（４Ｃ）で対向駆動し直列同回転歯車（４Ｄ）で垂直連結駆動する横型全動翼蒸気比重大物質重力タービン（１１Ｗ）とした各種エネルギ保存サイクル合体機関及び合体方法。
【発明の詳細な説明】
【技術分野】
【０００１】
挑戦皆無の超高速運動エネルギ利用の技術分野は宝の山で、鋳造部品や工作機械全部が超大型になり既存設備で挑戦不可等、大企業でも製造困難なため放置された超高速エネルギ利用技術分野のため、日本国や米国等国家協力が必要で、先進国経済成長戦略には企業利益率最大発明に協力以外は無く、物真似改良等優位性０の経済成長戦略の政治家や企業家により日本沈没が継続と考える本発明は、運動エネルギ＝質量×速度の２乗に比例するを全力利用する揚水発電類似発電で貢献とし、東日本大震災復興には被災者達の収入増大発明が最重要で、発明軽視政治により日本の労働効率を先進国最下位や財政赤字1千兆円等財政破綻を明確にして、韓国や中国に軽蔑排斥されるを改良して労働効率を上昇するには、総理以下が大変心して利益率抜群の発明に協力価値の高い仕事を製造する以外の道は無く、人類史上最大の貢献狙う本発明は、クリントン大統領時代３年３回ビッグスリーをホワイトハウスに呼んで命令し、３年３個の米国特許の説明不可部分発生は製造不可発明や利益率の大きい発明の発明方法が判明して、優位性の比較説明倍率最大のこの発明に到達したもので、米国大統領を手本に日本の財政赤字１０００兆円を０にして、貿易赤字回避ハイパーインフレ回避日本破綻を回避する基礎実験をお願いします。既存最先端科学技術が、物理基礎の運動エネルギ＝質量×速度の２乗に比例するを利用しないことで、蒸気タービン等実用化可能にしており、デフレ脱却には企業収益の増大による給料増大以外は無く絶好のチャンスで、給料増大には日本企業の世界一必勝戦略が必要なため、オールジャパン戦略として日本企業のみ電力料金を０にする国家戦略や企業戦略等が最重要で、先進国経済成長戦略には具体的な優位性の比較説明倍率最大を実行が最重要なため、既存火力発電や原子力発電は発電熱量全部で海水温度を上昇温暖化追加し竜巻等を巨大化して、中国経済成長速度と人口密度や地形により米国竜巻を超えて日本に住めなくなる危険が大きく、一刻も早い海水温度上昇を０にする発電が最重要で、速度の２乗に比例するを利用しない揚水発電の水速度が、マッハ１／７〜１／５のためマッハ１にすると、発電エネルギ＝同一水質量×５倍速度の２乗＝同一水質量２５倍発電量となり、水速度マッハ３０の竪型全動翼蒸気水重力タービン１１Ｚ等各種燃料費０の水重力発電にすると、２５倍発電量×９００＝同一水質量既存揚水発電の２２５００倍発電量となり、実験が必要な落差無限製造の発電量無限増大や電気駆動全部の燃料費０発電とし、海水温度上昇０の地球温暖化防止として、既存世界の火力発電や原子力発電を０にし、発電による海水温度上昇０やＣＯ２排気０にする。
【０００２】
再生可能エネルギ発電の最大最良が比重大物質の真空中重力加速度発電で、スペースシャトルの噴射圧力２４ＭＰａ噴射速度マッハ３０を水噴射水蒸気加速重力加速にすると、マッハ３０以上が非常に容易ですが全動翼二重反転翼夫々の周速度がマッハ３０近傍になり、夫々の回転数が１０万回転／毎分等となるため最初は周速度マッハ２等での実験として、発電原価や電気料金を太陽光発電の１／１０以下１／１００等にする実験にし、製造過程では既存蒸気タービンが質量×速度の利用を阻止する静翼を２０段前後具備して、過熱蒸気速度を２０回前後堰き止め９０度反転蒸気速度を１／３０等とし、製造容易な蒸気タービンにする等マッハ３０等の速度利用は振動等で非常に困難を予想して、段落毎夫々のタービン翼群８Ｆや一体タービン翼群８Ｇを、１鋳造部品にすることで部品数１／１００以下等共振や振動を最少に回転数最大狙いにし、二重反転機関用立型旋盤１０Ｂやタービン翼用研削盤１０Ｆ等で加工別々に仮組立して、二重反転機関用立型旋盤１０Ｂで超高速バランス調整加工の振動０接近を追加し、反発磁石等各種磁気利用の軸受荷重０接近で振動等０接近の超高速回転記録狙いにして、タービン翼群８Ｆ角度を調整して例えば駆動水速度の１／５タービン周速度を狙い、二重反転で周速度の１０倍水速度利用が可能か等の研究にし、内側軸装置６０Ａ＋外側軸装置６０Ｂ夫々の両端に各種軸受１２Ｃを具備し、内側軸装置６０Ａと外側軸装置６０Ｂ夫々を別々に仮組立てして、夫々の両端を二重反転機関用立型旋盤１０Ｂ等で保持超高速回転バランス調整加工後に分解して本組立にし、前例の無い内側軸装置６０Ａ兼円筒内側動翼群６０Ｃと、外側軸装置６０Ｂ兼円筒外側動翼群６０Ｄの二重反転にする、実験が必要な対向２段圧縮機１２Ｙ連結等、液体酸素製造機８９Ａ＋竪型全動翼蒸気水重力タービン１１Ｚ等各種水重力発電として、実験が必要な優位性比較説明倍率最大の、各種エネルギ保存サイクル合体機関や各種エネルギ保存合体方法の技術に関する。
【０００３】
既存最先端科学技術か簡単に金儲け発明実施全部で、本発明が製造困難なマッハ３０等の速度利用に挑戦のため、断熱圧縮の空気温度２０℃が圧縮比８で１３倍の２６０℃になるを速度利用で極限まで利用する、対向２段圧縮機１２Ｙ連結等の液体酸素製造機８９Ａ＋竪型全動翼蒸気水重力タービン１１Ｚ発電等にし、太陽光加熱器２１で１０倍温度等に加熱した空気２８ａを、対向２段圧縮機１２Ｙで空気圧縮の過程や圧縮空気熱交換器２Ｙ夫々で熱交換超臨界圧力水蒸気５Ｈ製造して、圧縮空気熱交換器２Ｙ圧縮比８０〜８００で超臨界圧力水蒸気５Ｈ製造の実験にし、超臨界圧力水蒸気５Ｈ製造量を同一燃料量既存ボイラーの１３０〜１３００倍にする実験にして、竪型全動翼蒸気水重力タービン１１Ｚ発電等落差無限製造駆動を、研磨剤混入防止のための逆浸透水５２Ｄ製造使用のマッハ３０速度狙いの出発とし、逆浸透水５２Ｄ噴射＋超臨界圧力水蒸気５Ｈ噴射加速マッハ３０製造＋真空中の重力加速度で発電して、同一容積既存蒸気タービン発電最終段翼駆動蒸気質量の２００００倍水質量前後のため優位性の比較可能とし、同一通路面積既存蒸気タービン最終段翼群の１／２００００容積水質量の同質量として、同一質量×３０倍速度の２乗＝同一質量９００倍発電量のタービン翼群８Ｆとし、落差８００ｍにタービン翼群８Ｆを３０００列では、９００倍発電量×３０００列＝２７０００００倍発電量として、実験が必要な対向２段圧縮機１２Ｙ連結液体酸素製造機８９Ａ＋竪型全動翼蒸気水重力タービン１１Ｚ発電等とし、既存最先端科学技術が質量×速度の２乗に比例するを利用０接近で実用化可能等のため、実験が必要な優位性比較説明倍率最大の、各種エネルギ保存サイクル合体機関や各種エネルギ保存合体方法の技術に関する。
【背景技術】
【０００４】
昭和１７年航空機製作所水島工場に就職エンジン発明で人類史上最大の貢献を決意し、日本は米国の物真似改良技術による高度経済成長で、背景技術が簡単に金儲け発明全部で製造困難発明は実験皆無の背景があり、経済成長戦略は中身の細部説明で実施可能や実験可能になるため、最大の実験必要部分はスペースシャトルの燃焼室圧力２２〜２５ＭＰａでマッハ３０前後噴射速度にして、宇宙軌道に到達し、発電用蒸気タービンは２４ＭＰａ蒸気速度を静翼で２０回前後堰き止め９０度方向転換を繰り返して、音速に減速して実用化可能にしており、全部動翼にすると気化膨張率の大きい水が同一圧力液体水素燃焼ガス噴射速度の２倍速度水蒸気になるか、実験が必要や、８０ＭＰａ水蒸気製造は可能で液体水素ロケット燃焼でも可能か等の実験や、超臨界圧力水蒸気５Ｈ噴射で宇宙到達費用を１／５０万に出来るか等、既存技術全部の各種実験等経済成長戦略中身を必要とし、最大の協力は昭和３８年特許願２１３８０号サイン曲線ピストン機関を、岡山地方発明センターに請負で製造して頂き、実物を見て貴重な経験や勉強やエンジン革命困難の予想となり次の発明に移行し、最も困った部分が、利益率抜群世界一の貢献が可能な発明の定義で、国内企業などにご協力のお願いを始め、クリントン大統領３年３回米国特許３件に１００％のご協力により具体的な優位性の比較説明倍率最重要が判明して、水力発電機出入力は回転数の３乗に比例するから、入力は可変速モーターが実用化され出力は超高速回転等実験皆無の背景技術があるため、超高速回転の実験から出発として、教育テレビ物理基礎の運動エネルギ＝質量×速度の２乗に比例するを極限まで利用し、燃料電池自動車の水素容器圧力が７０ＭＰａにしているため、８０ＭＰａ等の超臨界圧力水蒸気５Ｈを噴射して、逆浸透水５２Ｄを加速地球脱出速度マッハ３２〜８０等真空中無限加速の実験とし、真空中の重力加速度加速で発電する優位性比較説明倍率として、既存最先端科学技術の火力発電や揚水発電が、質量×速度の２乗に比例するを利用しないことで実用化を可能にしているため比較実験が必要で、対向２段圧縮機１２Ｙ連結液体酸素製造機８９Ａ＋竪型全動翼蒸気水重力タービン１１Ｚ等発電の実験にし、利益率抜群世界一が可能な発電狙いにして、実験結果が同一流路面積２倍発電量でも地球温暖化防止革命や、経済成長戦略革命や、世界全部で運用する運用利益率抜群世界一永遠狙い等により、日本の財政赤字１０００兆円を比較的短期間に０にする等が狙える背景技術があり、製造困難に対応する背景技術として、周速度マッハ３０回転速度１０万回転／毎分等に近付ける各種技術がある。
【０００５】
製造過程では既存火力発電蒸気タービンが静翼により２０回前後堰き止め９０度反転噴射し、蒸気速度を１／３０以下の音速等にして実用化を可能にする等、音速駆動を大幅に超える蒸気タービン等の製造は非常に困難で長期間挑戦皆無ですが、駆動物質速度記録狙う製造困難な全動翼二重反転機関は宝の山で実験が必要で、既存ガスタービン空気圧縮機では圧縮空気を静翼で堰き止め方向転換繰り返す低圧圧縮のため、全動翼超高速二重反転圧縮にして既存ガスタービンの１０倍圧縮圧力が可能か等の実験し、静翼を全廃した全動翼二重反転蒸気タービンにすると、３０倍蒸気速度９００倍発電量３０倍周速度の９００００回転／毎分等となり、連続運転不可の場合は発電量の増大や初速度低減やタービン翼群８Ｆ角度製造で最適周速度に低減して、連続運転可能にする実験等、重要実験皆無で怠慢過ぎる既存最先端科学技術の火力発電ボイラーは、大気圧での燃料噴射燃焼で過熱蒸気を製造し、蒸気タービンでの発電ですが、断熱圧縮の温度上昇は空気温度２０℃が圧縮比８で１３倍の２６０℃になるため、太陽光加熱器２１で１０倍以上に加熱した空気２８ａを、対向２段圧縮機１２Ｙ連結液体酸素製造機８９Ａで圧縮比８００等の圧縮過程で、逆浸透水５２Ｄ冷却する外側圧縮翼群５３Ｃ内側圧縮翼群５３Ｄで冷却圧縮する熱交換冷却圧縮にして、圧縮空気熱交換器２Ｙで熱交換して超臨界圧力水蒸気５Ｈ製造にすると、燃焼温度が１３００倍×１０倍＝１３０００倍になる過程での熱交換となり、実験が必要な同一燃料量既存ボイラーの１３０００倍熱量製造量の超臨界圧力水蒸気５Ｈ製造量になる背景があり、超臨界圧力水蒸気５Ｈ使用量が逆浸透水５２Ｄ初速度製造用で、同一発電量既存火力発電の１／１００〜１／１０００使用熱量狙い等、大革命を大きく超える計算の羅列となり、実験が必要な地球温暖化防止革命や、経済成長戦略革命や、世界全部で運用する運用利益率抜群世界一永遠狙い等により、日本の財政赤字１０００兆円を比較的短期間に０にする等が狙える背景技術がある。
【先行技術文献】
【特許文献】
【０００６】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００７】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−２５０６８３提出日：平成２５年１２月４日まで３０個の出願があり、特願２０１４−４６９０より特願２０１４−４７１９まで提出日平成２６年１月１５日が４個あります。
【発明の概要】
【発明が解決しようとする課題】
【０００８】
先進国経済成長戦略には具体的な中身の優位性比較説明倍率最大が必要で、アベノミクス経済成長戦略には中身皆無で失われた２０年の継続が予想され、優位性０近傍では労働コスト１／５等途上国有利で最貧国接近か経済破綻以外は無く、中身で無い成長戦略は実施も比較議論も不可能な戦略で経済成長中身の議論が必要で、政治主導の給料上昇は国際競争力低下国内空洞化加速日本沈没等致命的な欠点があり、経済成長戦略には優位性比較説明倍率最大の発明に米国以上に協力以外の戦略は無く、日本を蔑視する日韓関係や日中関係も財政赤字等日本沈没が原因のため、抜群の経済成長戦略を含む発明の実施が必要や重要で、既存最先端科学技術が簡単に金儲け出来る物真似改良発電全部で、物理基礎の運動エネルギ＝質量×速度の２乗に比例するを利用０接近のため、製造困難に挑戦が必要、質量や速度が減速０で利用可能な全動翼二重反転にして、対向２段圧縮機１２Ｙ連結等の、液体酸素製造機８９Ａ＋竪型全動翼蒸気水重力タービン１１Ｚ等各種の燃料費０発電にし、製造過程では工作機械が超大型になる等皆無近傍のため工作機械の製造から出発が必要ですが、発明で最も重要な優位性の比較説明倍率最大の真空の重力加速度利用とした、対向２段圧縮機１２Ｙ連結液体酸素製造機８９Ａ＋竪型全動翼蒸気水重力タービン１１Ｚ発電では、発電量が質量×速度の２乗に比例するため、最も高速度高真空の既存火力発電蒸気タービン最終段翼群との比較となり、該同一流路面積駆動質量が水の１／２００００近傍で容積が水の２００００倍近傍のため、１００％マッハ３２の３０倍水速度のタービン翼群８Ｆ段にすると、２００００倍質量×３０倍水速度の２乗＝１８００００００倍発電量のタービン翼群８Ｆになるため、１／１００容積水駆動にする等の設計や製造方法を確立する課題があり、既存の火力発電や原子力発電を全廃して地震津波の巨大化や竜巻豪雨等の巨大化を阻止して、運用利益率抜群世界一を永遠や給料世界一や新規雇用世界一にし、地球温暖化防止する課題がある。
【課題を解決するための手段】
【０００９】
対向２段圧縮機１２Ｙ連結等の、液体酸素製造機８９Ａ＋竪型全動翼蒸気水重力タービン１１Ｚ等の各種燃料費０発電として、対向２段圧縮機１２Ｙにより太陽光加熱器２１で加熱１０倍温度以上にした空気２８ａを超高速全動翼二重反転圧縮し、圧縮比８００狙い逆浸透水５２Ｄ冷却翼熱交換圧縮として圧縮空気熱交換器２Ｙで熱交換して、同一燃料量既存ボイラーの１３００倍熱量×１０倍熱量＝１３０００倍熱量を狙う、超臨界圧力水蒸気５Ｈ製造量にし、重力発電建物１２の最上部に逆浸透水５２Ｄと共に上昇保存して、逆浸透水５２Ｄ噴射＋超臨界圧力水蒸気５Ｈ８０ＭＰａ噴射で水５２Ｄマッハ３２製造＋真空中の重力加速度加速で発電し、例えば同一流路面積既存火力発電蒸気タービン最終翼群の、１／２００容積１００倍水質量×マッハ１〜マッハ３２速度の２乗＝１００倍〜１０２４００倍発電量のタービン翼群８Ｆとし、落差８００ｍに３０００段タービン翼群８Ｆとして、実験が必要な設計や製造過程では、全動翼二重反転により２倍水速度対応とし、タービン翼群８Ｆ角度の設計追加で１０倍水速度対応として、タービン翼群８Ｆ数１／３の翼面積３倍等の１部品にして部品数１／１００等で３０倍水速度対応や共振等最少狙いにし、対向２段圧縮機１２Ｙや反発磁石等各種磁気利用で軸受荷重０接近にして、共振や振動等の０接近追加により３０倍水速度以上での駆動や０振動接近狙いにし、段落毎夫々のタービン翼群８Ｆを１鋳造部品として、二重反転機関用立型旋盤１０Ｂにより嵌合組立部９Ｍ加工等とし、タービン翼用研削盤１０Ｆによりタービン翼群８Ｆ加工にして、タービン翼群８Ｆ兼外側軸装置等夫々の両端には各種軸受１２Ｃを具備し、内側軸装置６０Ａや外側軸装置６０Ｂ夫々を別々に仮組立して、夫々の両端を二重反転機関用立型旋盤１０Ｂで保持超高速回転バランス調整加工とし、バランス加工夫々が良好な回転数での使用として分解本組立てにして、発明品全部の極秘製造極秘で全世界運用の海水温度上昇０追加の地球温暖化防止発電とし、運用利益率抜群の世界一永遠や給料世界一や新規雇用世界一にして、性能の悪い発電原価が高価な既存火力発電や原子力発電等自然淘汰し、地震津波の巨大化や竜巻豪雨等の巨大化を阻止し最も効率良く地球温暖化防止する。
【発明の効果】
【００１０】
本発明は利益率等で人類史上最大の貢献に挑戦の過程で、日本政府が世界規模１００％永遠独占に挑戦の場合は、財政赤字１０００兆円を比較的短期間に０以下にする効果があり、米国政府が世界規模１００％永遠独占を主導の場合は、利益率世界一として米国国債全部を０同等にする大きな効果があり、利益率の大きい発明に協力しない国家戦略や企業戦略で沈没２０年等継続の過程で、経済の好循環を狙うアベノミクスの給料増大や消費税の１０％増税は、給料漸減等により日本崩壊を阻止していた必然現象に逆行する最悪政策のため、労働効率先進国最下位からの企業収益の低減により日本沈没が加速する危険があり、一刻も早い日本政府等の本発明に協力が必要で協力により、韓国や中国による日本蔑視攻撃を鎮静化して日本沈没を阻止する効果があり、国家戦略特区にも優位性比較説明倍率最大等中身が無いと利益率の実験が不可能に加えて、利益率の大きい独占権で無いと安価労働コスト途上国実施が常識で日本沈没継続になるため、特区等に換えて利益率抜群世界一等の発明に協力する国家戦略にすると、限りある資源を子孫に残す大きな効果があり、対向２段圧縮機１２Ｙ連結等軸受荷重０接近容易とした、液体酸素製造機８９Ａ＋竪型全動翼蒸気水重力タービン１１Ｚ等各種の燃料費０発電にして、同一流路面積発電量を既存蒸気タービン最終段翼群の９００倍発電量のタービン翼群８Ｆ等とし、発電原価１／１００狙い等として、運用利益率抜群の世界一永遠や給料世界一や新規雇用世界一にする効果があり、性能の悪い発電原価か高価な既存火力発電や原子力発電等が自然淘汰する効果も大きく、最も効率良く地球温暖化防止する効果がある。
【図面の簡単な説明】
【００１１】
【図１】重力発電建物１２の説明図（実施例１）
【図２】竪型全動翼蒸気水重力タービン１１Ｚの軸受１２Ｃの説明図（実施例２）
【図３】内側軸装置６０Ａ外側軸装置６０Ｂのタービン翼群８Ｆの説明図（実施例３）
【図４】竪型全動翼蒸気比重大物質重力タービン１１Ｙの軸受１２Ｃの説明図（実施例４）
【図５】横型全動翼蒸気水重力タービン１１Ｘ直列同回転歯車４Ｄの説明図（実施例５）
【図６】横型全動翼蒸気水重力タービン１１Ｘ一体タービン翼群８Ｇの説明図（実施例６）
【図７】横型全動翼蒸気比重大物質重力タービン１１Ｗ直列同回転歯車４Ｄの説明図（実施例７）
【図８】横型全動翼蒸気比重大物質重力タービン１１Ｗ一体タービン翼群８Ｇの説明図（実施例８）
【図９】液体酸素製造機８９Ａの説明図（実施例９）
【図１０】太陽光加熱器２１の説明図（実施例１０）
【図１１】対向２段圧縮機１２Ｙの説明図（実施例１１）
【発明を実施するための形態】
【００１２】
既存蒸気タービンの静翼を全廃し全動翼にすると蒸気速度が３０倍等になるため、既存最先端科学技術が挑戦困難として放置している、超高速度エネルギ利用技術分野で最大速度や最適速度のエネルギ利用に挑戦するタービン翼群８Ｆは、円筒内側動翼群６０Ｃタービン翼群８Ｆ１段具備＋円筒外側動翼群６０Ｄタービン翼群８Ｆ２段具備して、部品数最少の強大や振動共振０接近や軸受荷重０接近として最大速度エネルギ利用に対応し、夫々の両端を二重反転機関用立型旋盤１０Ｂで保持超高速回転バランス調整加工して、夫々がバランス回転良好な回転数や周速度の確認で、例えばマッハ３０等最大速度水駆動が可能か等タービン翼群８Ｆをバランス実験で確認し、最大速度エネルギ利用の、竪型全動翼蒸気水重力タービン１１Ｚや竪型全動翼蒸気比重大物質重力タービン１１Ｙの設計製造に使用して、夫々の段数を最適段数に増大して最適速度エネルギ利用の実験結果を、竪型全動翼蒸気水重力タービン１１Ｚや竪型全動翼蒸気比重大物質重力タービン１１Ｙの設計製造に使用し、同様に最大周速度駆動記録に挑戦する一体タービン翼群８Ｇは、回転部部品数２個の長さ最少や強大や振動共振０接近や軸受荷重０接近とし、両端を二重反転機関用旋盤１０Ｃで保持超高速回転バランス調整加工して、夫々がバランス回転良好な回転数や周速度の実験確認し、例えばマッハ３０等最大周速度駆動記録に挑戦して、長さを複数回増大して最適使用周速度に複数回減速する各種速度の実験結果を確認し、横型全動翼蒸気比重大物質重力タービン１１Ｗや横型全動翼蒸気水重力タービン１１Ｘの設計製造にして、本組立て実験として対向２段圧縮機１２Ｙで圧縮比８００等にする液体酸素製造機８９Ａとし、圧縮空気熱交換器２Ｙで燃料噴射燃焼して８０ＭＰａ超臨界圧力水蒸気５Ｈ製造して、竪型全動翼蒸気水重力タービン１１Ｚ等の初速度製造部６ａで逆浸透水５２Ｄをマッハ２等で噴射し、８０ＭＰａ等超臨界圧力水蒸気５Ｈ噴射してマッハ３０等に加速して真空中の重力加速度で加速して、マッハ３２前後水速度で駆動して周速度マッハ３前後に出来るか等の実験にし、同様にして横型全動翼蒸気水重力タービン１１Ｘでは、マッハ３２前後水速度で駆動して周速度マッハ３２前後に出来るか等の実験にして、発電量が水速度や比重大物質速度の２乗に比例するか、発電量が回転速度の３乗に比例するか等の実験にし、実験結果に基づいた発明の実施形態にする。
【実施例１】
【００１３】
図１の図２等を設ける重力発電建物１２による、図１１対向２段圧縮機１２Ｙ連結等の、図９液体酸素製造機８９Ａ＋竪型全動翼蒸気水重力タービン１１Ｚ発電等は、教育テレビ物理基礎で運動エネルギ＝質量×速度の２乗に比例するや、水力発電機出入力は回転数の３乗に比例するを最重要として、優位性の比較説明倍率として既存最先端科学技術と比較計算説明し、例えば優位性比較説明倍率最大が同一流路面積同一水質量発電量で、既存火力発電蒸気タービン最終翼群蒸気容積の、１／２００００容積同一水質量×３０倍速度の２乗＝９００倍発電量のタービン翼群８Ｆとし、落差８００ｍに３０００段タービン翼群８Ｆ＝９００倍×３０００段＝２７０００００倍発電量として、蒸気タービン最終翼群の２７０万倍発電量の、液体酸素８９Ａ＋竪型全動翼蒸気水重力タービン１１Ｚ発電等類似発電とし、各種実験結果で確認を必要とする重力発電建物１２として、該柱を柱管１２Ｂ兼比重大物質上昇装置２Ｆとし、逆浸透水５２Ｄを最上部上昇保存する過程で柱管１２Ｂの管径を拡大して、頑丈な柱にすると共に実用化中の低速上昇速度で揚水電力僅少にし、継手に角フランジ１２Ｄを鉄骨骨組１２Ａに合せて具備して、鉄骨骨組１２Ａの上下を角フランジ１２Ｄにボルト締め組立てにし、横軸１ｈ駆動の発電機１具備で階数を構成する、重力発電建物１２を構成柱管１２Ｂの内部を比重大物質上昇装置２Ｆとして使用して、水３Ｅの逆浸透水５２Ｄや各種比重大物質２Ｅを最上部に上昇保存し、比重大物質加速器６Ｗ開放で逆浸透水５２Ｄ噴射して、比重大物質加速器６Ｗ解放８０ＭＰａ超臨界圧力水蒸気５Ｈ噴射でマッハ３０等に加速して、真空度上昇中の重力加速度で発電する、竪型全動翼蒸気水重力タービン１１Ｚ等各種燃料費０発電にし、実験が必要な各種エネルギ保存サイクル合体機関発電及び合体方法発電にする。
【実施例２】
【００１４】
図２の竪型全動翼蒸気水重力タービン１１Ｚ発電の設計製造は、発電量の運動エネルギ＝質量×速度の２乗に比例するため、静翼で堰き止めると発電量が０側に接近する等、全動翼以外の構成は無く工作機械皆無等製造困難と挑戦皆無に挑戦し、大重量直線超高速噴射対応の全動翼二重反転により２倍水速度対応として、タービン翼群８Ｆ角度の設計追加で２倍×１０倍水速度対応とし、タービン翼群８Ｆ数１／３以下の翼面積３倍以上等の１鋳造部品にして、部品数１／１００以下最少狙いで３０〜４０倍水速度対応や共振等０接近狙いや、反発磁石等各種磁気利用で軸受荷重０接近にし、共振や振動等の０接近追加により３０倍水速度以上での駆動や０振動狙いにして、段落毎夫々のタービン翼群８Ｆを１鋳造部品とし、段落毎１鋳造部品にすることで加工可能兼共振や振動０接近の超高速回転に対応して、内側軸装置６０Ａタービン翼群８Ｆは１段に外側軸装置６０Ｂタービン翼群８Ｆは２段具備で最大速度駆動に対応し、内側軸装置６０Ａタービン翼群８Ｆは２段以上に外側軸装置６０Ｂタービン翼群８Ｆは３段具備以上で最適速度駆動に対応し、二重反転機関用立型旋盤１０Ｂにより嵌合組立部９Ｍ加工等として、タービン翼用研削盤１０Ｆによりタービン翼群８Ｆ加工にし、タービン翼群８Ｆ兼外側軸装置６０Ｂ等夫々の両端に各種軸受１２Ｃ具備して、内側軸装置６０Ａや外側軸装置６０Ｂ夫々別々に仮組立し、夫々の両端を二重反転機関用立型旋盤１０Ｂで保持超高速回転バランス調整加工として、バランス加工良好な周速度や回転数での設計製造の実験として分解本組立てにし、同一流路面積既存蒸気タービン最終段翼群の１／２００００容積同一水質量×３０倍速度の２乗＝９００倍発電量の優位性比較説明倍率のタービン翼群８Ｆにして、落差８００ｍ製造３０００段タービン翼群８Ｆ発電量を、既存蒸気タービン最終段翼群の９００倍発電量×３０００段＝２７０００００倍発電量の竪型全動翼蒸気水重力タービン１１Ｚとし、実験が必要な燃料費０発電狙い利益率抜群世界一狙いにして、工作機械も加工方法も前例皆無で挑戦が非常に困難と予想されますが、宝物は製造困難部分に集中存在と予想改良発明無限大に挑戦し、実験が必要な竪型全動翼蒸気水重力タービン１１Ｚ発電方法にして、製造物全部を極秘製造極秘運用極秘改良発明永遠独占狙いにする、運用利益率抜群世界一の地球温暖化防止にし、各種エネルギ保存サイクル合体機関発電及び合体方法発電にする。
【実施例３】
【００１５】
図３の図２円筒内側動翼群６０Ｃタービン翼群８Ｆ兼内側軸装置６０Ａと、円筒外側動翼群６０Ｄタービン翼群８Ｆ兼外側軸装置６０Ｂ夫々のタービン翼群８Ｆは、逆浸透水５２Ｄ噴射＋８０ＭＰａ超臨界圧力水蒸気５Ｈ噴射マッハ３４等水速度製造＋真空中重力加速度で発電して、発電入力の揚水入力は実用化数十年経過のため、研究を８０ＭＰａ等の超臨界圧力水蒸気５Ｈ製造使用発電等に集中し、超臨界圧力水蒸気５Ｈマッハ３４等水速度製造使用は、既存蒸気タービン発電の３０倍速度の水速度使用となり、既存蒸気タービン発電の音速駆動部分駆動質量の略２００００倍質量駆動となるため、質量増大による発電量が２００００倍に近付くのに加えて、３０倍速度駆動では発電量が９００倍になる等既存技術で皆無の設計製造が最重要となり、真空度の増減による発電量の増減も膨大なため２０℃以下等低温程高真空可能か等の実験研究にして、超臨界圧力水蒸気５Ｈ噴射温度の実験研究等最重要とし、発電入力の優位性比較説明倍率を計算可能部分は、超臨界圧力水蒸気５Ｈ製造熱量と使用熱量のため、図１０の太陽光加熱器２１で２００℃に加熱した空気を液体酸素製造機８９Ａで圧縮熱製造の場合、電気駆動燃料費０で製造熱量の優位性比較説明倍率＝圧縮比８００では、同一燃料量既存ボイラーの１３０００倍超臨界圧力水蒸気５Ｈ製造熱量となり、使用熱量の優位性比較説明倍率＝超臨界圧力水蒸気５Ｈ使用熱量が水速度製造用のため、燃料費０発電となり、発電入力が極限まで僅少になって発電出力が２７０万倍に近付く等実験を必要にし、重要実験皆無の最先端科学技術により利益率抜群世界一が予想されるため、極秘製造極秘運用極秘改良発明を最重要とします。
【００１６】
製造の過程では工作機械が皆無に近く不可能を可能にする実験が必要ですが、外側動翼６０ｄ外入口翼６０ｅタービン翼群８Ｆや内側動翼６０ｃ内入口翼６０ｆタービン翼群８Ｆや外側動翼６０ｄ外中間翼６０ｇタービン翼群８Ｆや、内側動翼６０ｃ内中間翼６０ｈタービン翼群８Ｆや外側動翼６０ｄ外中間翼６０ｇタービン翼群８Ｆや内側動翼６０ｃ内出口翼６０ｊタービン翼群８Ｆや外側動翼６０ｄ外出口翼６０ｋタービン翼群８Ｆの、嵌合組立部９Ｍ等夫々を二重反転機関用立型旋盤１０Ｂで加工し、夫々のタービン翼群８Ｆをタービン翼用研削盤１０Ｆ加工として、内側軸装置６０Ａ外側軸装置６０Ｂ夫々の両端に軸受１２Ｃ具備別々に嵌合組立部９Ｍ仮組立とし、夫々の両端を二重反転機関用立型旋盤１０Ｂで保持超高速回転バランス調整加工して、バランス加工良好な周速度や回転数での設計製造の実験として分解本組立てに移行し、軸受１２Ｃ荷重を０にするため吸引電磁石永久磁石９Ｃや反発電磁石永久磁石９Ｂを具備して、軸受荷重０接近と部品数最少で超高速回転最大に対応とし、タービン翼群８Ｆの段数増減して振動や共振に対応し１鋳造部品にして、部品数１／１００や最少等として共振や振動を最少に回転数最大狙いにし、二重反転磁気装置８５又は二重反転歯車装置８５Ｙにより二重反転する１組として、横軸１ｈに発電機１を夫々具備し、１組複数の発電機１発電にして、多数組の竪型全動翼蒸気水重力タービン１１Ｚ発電とし、最上部の１組を初速度製造の１組として、他は全部同一の地震等で被害僅少が可能な多数組とし、落差５００〜８００ｍ狙いにして、実験が必要な給料世界一や雇用大増大する人類史上最大の貢献とし、重要実験皆無の最先端科学技術を大チャンスとして燃料費０で発電量の増大にし、利益率抜群世界一や地球温暖化防止発電の各種真空中重力利用発電にする、各種エネルギ保存サイクル合体機関発電及び合体方法発電にする。
【実施例４】
【００１７】
図４の竪型全動翼蒸気比重大物質重力タービン１１Ｙは、対向２段圧縮機１２Ｙ連結等の液体酸素製造機８９Ａによる、超臨界圧力水蒸気５Ｈ製造噴射で燃料費０発電として、運動エネルギ発電量＝質量×速度の２乗に比例するを最重要＋全動翼超高速回転狙いとし、軸受荷重０接近狙う反発電磁石永久磁石９Ｂや吸引電磁石永久磁石９Ｃを具備振動等０接近にして、重力発電建物１２により真空中の重力加速度加速する落差を製造し、柱管１２Ｂの高さと発電機１を具備する横軸１ｈの高さに合わせた階数の最適高さとして、柱管１２Ｂ兼比重大物質上昇装置２Ｆにより比重大物質を最上部に可変速モーターで上昇保存し、揚水入力が回転速度の３乗に比例するに対応して、初速製造部６ａの比重大物質加速器６Ｗ開放で比重大物質を噴射し、初速製造部６ａ比重大物質加速器６Ｗ開放して、８０ＭＰａ等の超臨界圧力水蒸気５Ｈ噴射し、マッハ３０等に加速して、真空度上昇中の重力加速度で二重反転タービン翼群８Ｆ駆動の発電にし、マッハ３０で直線加速の計算では既存揚水発電と同一水質量マッハ３０÷１／５＝１５０倍水速度として、１５０倍×１５０倍＝２２５００倍発電量にし、入力や想定外を差引後の発電量を１０００倍狙い実験を必要にし、円筒内側動翼群６０Ｃと円筒外側動翼群６０Ｄを二重反転駆動して、大重量直線超高速噴射対応の全動翼二重反転とし、夫々が二重反転する円筒内側動翼群６０Ｃ兼内側軸装置６０Ａと、円筒外側動翼群６０Ｄ兼外側軸装置６０Ｂにして、製造の過程では図３と同様に段落毎１鋳造部品にすることで、加工可能兼共振や振動０接近の超高速回転に対応して、内側軸装置６０Ａタービン翼群８Ｆは１段に外側軸装置６０Ｂタービン翼群８Ｆは２段具備で最大速度駆動に対応し、内側軸装置６０Ａタービン翼群８Ｆは２段以上に外側軸装置６０Ｂタービン翼群８Ｆは３段具備以上で最適速度駆動に対応し、夫々の両端には夫々最適軸受１２Ｃを具備し、夫々別々に二重反転機関用立型旋盤１０Ｂやタービン翼用研削盤１０Ｆで製造して、夫々別々に仮組立後に二重反転機関用立型旋盤１０Ｂで超高速バランス調整加工良好にし、バランス加工良好な周速度や回転数での設計製造の実験として、分解して本組立てにする全く新しい超大型工作機械製造の加工にし、横軸１ｈで二重反転する複数〜多数組で１台の竪型全動翼蒸気比重大物質重力タービン１１Ｙを製造して、同一揚水量同一落差既存揚水発電の２倍で大革命を実験が必要な１０００倍発電量狙い実験を必要にし、重要実験皆無の最先端科学技術を大チャンスとして、燃料費０で発電量の増大にし、利益率抜群世界一や地球温暖化防止発電の各種真空中重力利用発電にする、極秘製造極秘運用極秘改良発明を最重要とし、各種エネルギ保存サイクル合体機関発電及び合体方法発電にする。
【実施例５】
【００１８】
図５の横型全動翼蒸気水重力タービン１１Ｘは、対向２段圧縮機１２Ｙ連結等電気駆動の液体酸素製造機８９Ａによる、超臨界圧力水蒸気５Ｈ製造噴射初速製造部６ａで初速度製造し燃料費０発電として、水力発電機出入力は回転数の３乗に比例するを最重要＋全動翼超高速回転周速度記録狙いとし、軸受荷重０接近狙う反発電磁石永久磁石９Ｂや吸引電磁石永久磁石９Ｃを具備振動等０接近にして、重力発電建物１２により真空中の重力加速度加速する落差を製造し、柱管１２Ｂの高さと発電機１を具備する水平軸１６Ａ高さに合わせた階数の最適高さとして、柱管１２Ｂ兼比重大物質上昇装置２Ｆにより逆浸透水５２Ｄを最上部に可変速モーターで上昇保存し、揚水入力が回転速度の３乗に比例するに対応して、比重大物質加速器６Ｗで逆浸透水５２Ｄを加圧噴射し、初速製造部６ａの超臨界圧力水蒸気５Ｈ噴射速度でマッハ３０等に加速して、真空度上昇中の重力加速度で一体タービン翼群８Ｇ周速度マッハ３０等駆動の発電にし、マッハ３０で直線加速の計算では既存揚水発電と同一水質量マッハ３０÷１／５＝１５０倍水速度として、１５０倍×１５０倍＝同一水質量既存揚水発電の２２５００倍発電量にし、入力や速度等想定外を差引後の発電量を実験が必要な１０００倍狙いにして、大質量直線超高速噴射対応の一体タービン翼群８Ｇとし、夫々が超高速回転して周速度マッハ３０狙いにして、夫々の両端には夫々最適軸受１２Ｃを具備し、夫々別々に二重反転機関用旋盤１０Ｃやタービン翼用研削盤１０Ｆで製造して、夫々別々に本組立後に二重反転機関用旋盤１０Ｃで保持超高速バランス調整加工良好にし、バランス加工良好な周速度や回転数での設計製造の実験として、重力発電建物１２で使用する全く新しい超大型工作機械製造の加工にし、直列同回転歯車４Ｄ複数〜多数組連結駆動で１台の横型全動翼蒸気水重力タービン１１Ｘを製造して、同一揚水量同一落差既存揚水発電の２倍で大革命を実験が必要な１０００倍発電量狙いにし、重要実験皆無の最先端科学技術を大チャンスとして、燃料費０で発電量の増大にし、利益率抜群世界一や地球温暖化防止発電の各種真空中重力利用発電にする、極秘製造極秘運用極秘改良発明を最重要として、各種エネルギ保存サイクル合体機関発電及び合体方法発電にする。
【実施例６】
【００１９】
図６の図５断面図一体タービン翼群８Ｇ製造過程では、外径最大最短長さ１．５ｍ以下で超高速比重大物質速度最大速度対応の共振最少狙いの実験として、外径最小最大長の６ｍ以上を超高速水速度３番速度対応の実験とし、外径中間中間長を超高速水速度２番速度対応の実験として、水力発電機出力は回転数の３乗に比例するを最重要とし、発電量が回転速度の３乗に比例するか２乗に比例するか実験を必要として、最良環境の真空中での最大回転速度の研究等各種宝探しの研究や挑戦を必要とし、一体タービン翼群８Ｇ１部品の両端に軸受１２Ｃを設ける水平軸１６Ａ具備して、回転部を１部品にすることで駆動最大水速度対応や、２部品や３部品としてマッハ３０等超高速周速度対応可能か等の実験にし、部品数最少で振動や共振の０接近狙いにして、反発電磁石永久磁石９Ｂを下部に具備し吸引電磁石永久磁石９Ｃを上部に具備し軸受荷重や振動を０接近にし、１０万回転等超高速回転として発電量が回転速度の３乗に比例するか等の実験にして、製造過程では一体タービン翼群８Ｇ１部品では外部加工のみや、２部品や３部品の場合は内部や外部や両端等を二重反転機関用旋盤１０Ｃ加工し、一体タービン翼群８Ｇ外周のタービン翼等をタービン翼用研削盤１０Ｆ加工にして、両端の軸受１２Ｃ部を二重反転機関用旋盤１０Ｃで保持し、超高速回転バランス調整加工して、バランス加工良好な周速度や回転数での設計製造の実験とし、両端の水平軸１６Ａ等に軸受１２Ｃや発電機１を夫々具備して、超高速周速度マッハ３０等に挑戦する複数〜多数組の一体タービン翼群８Ｇ具備にし、最上部の１組を初速度製造の１組として、実験が必要な横型全動翼蒸気水重力タービン１１Ｘ燃料費０発電にし、落差５００〜８００ｍ狙いにして、給料世界一や雇用大増大する人類史上最大の貢献とし、利益率抜群世界一の地球温暖化防止にする、各種エネルギ保存サイクル合体機関発電及び合体方法発電にする。
【実施例７】
【００２０】
図７の横型全動翼蒸気比重大物質重力タービン１１Ｗは、対向２段圧縮機１２Ｙ連結等電気駆動の液体酸素製造機８９Ａによる、超臨界圧力水蒸気５Ｈ製造し初速製造部６ａ噴射で初速度製造し燃料費０発電として、水力発電機出入力は回転数の３乗に比例するを最重要＋全動翼超高速回転記録狙いとし、軸受荷重０接近狙う反発電磁石永久磁石９Ｂや吸引電磁石永久磁石９Ｃを具備振動等０接近にして、重力発電建物１２により真空中の重力加速度加速する落差を製造し、柱管１２Ｂの高さと発電機１を具備する水平軸１６Ａの高さに合わせた階数の最適高さとして、柱管１２Ｂ兼比重大物質上昇装置２Ｆにより逆浸透水５２Ｄや比重大物質等を最上部に可変速モーター等で上昇保存し、揚水入力が回転速度の３乗に比例するに対応して、比重大物質加速器６Ｗで比重大物質を逆浸透水５２Ｄ等で各種混合噴射し、初速製造部６ａの８０ＭＰａ等超臨界圧力水蒸気５Ｈ噴射速度てマッハ３０等に加速して、真空度上昇中の重力加速度で一体タービン翼群８Ｇ駆動の発電にし、マッハ３０で直線加速の計算では既存揚水発電と同一水質量マッハ３０÷１／５＝１５０倍水速度として、１５０倍×１５０倍＝同一水質量既存揚水発電の２２５００倍発電量にし、入力や速度等想定外を差引後の発電量を実験が必要な１０００倍発電量狙いにして、大質量直線超高速噴射対応の一体タービン翼群８Ｇにし、夫々が超高速回転して周速度マッハ３０狙いにして、夫々の両端には夫々最適軸受１２Ｃを具備し、夫々別々に二重反転機関用旋盤１０Ｃやタービン翼用研削盤１０Ｆで製造して、夫々別々に本組立後に二重反転機関用旋盤１０Ｃで保持超高速バランス調整加工良好にし、バランス加工良好な周速度や回転数での設計製造の実験として、重力発電建物１２で使用する全く新しい超大型工作機械製造の加工にし、直列同回転歯車４Ｄ複数〜多数組連結駆動で１台の横型全動翼蒸気比重大物質重力タービン１１Ｗを製造して、同一揚水量同一落差既存揚水発電の２倍で大革命を実験が必要な１０００倍発電量狙いにし、重要実験皆無の最先端科学技術を大チャンスとして、燃料費０で発電量の大増大にし、利益率抜群世界一や地球温暖化防止発電の各種真空中重力利用発電にする、極秘製造極秘運用極秘改良発明を最重要とし、各種エネルギ保存サイクル合体機関発電及び合体方法発電にする。
【実施例８】
【００２１】
図８の図７断面図一体タービン翼群８Ｇ製造過程では図６と同様に、外径最大最短長さ１．５ｍ以下で超高速比重大物質速度最大速度対応の共振最少狙いの実験として、外径最小最大長の６ｍ以上を超高速比重大物質速度３番速度対応の実験とし、外径中間中間長を超高速比重大物質速度２番速度対応の実験として、水力発電機出入力は回転数の３乗に比例するを最重要や入力は実用化終了とし、発電量が回転速度の３乗に比例するか２乗に比例するか実験を必要として、最良環境の真空中での最大回転速度周速度の研究等各種宝探しの研究や挑戦を必要とし、一体タービン翼群８Ｇ１部品の両端に軸受１２Ｃを設ける水平軸１６Ａ具備して、回転部を１部品にすることで駆動最大比重大物質速度対応や、２部品や３部品としてマッハ３０等超高速周速度対応可能か等の実験にし、部品数最少で振動や共振の０接近狙いにして、反発電磁石永久磁石９Ｂを下部に具備し吸引電磁石永久磁石９Ｃを上部に具備し軸受荷重や振動を０接近にし、１０万回転等超高速回転として発電量が回転速度や周速度の３乗に比例するか等の実験にして、製造過程では一体タービン翼群８Ｇ１部品では外部加工のみや、２部品や３部品の場合は内部や外部や両端等を二重反転機関用旋盤１０Ｃ加工し、一体タービン翼群８Ｇ外周のタービン翼等をタービン翼用研削盤１０Ｆ加工にして、両端の軸受１２Ｃ部を二重反転機関用旋盤１０Ｃで保持し、超高速回転バランス調整加工して、バランス加工良好な周速度や回転数での設計製造の実験として、製造終了使用にし、両端の水平軸１６Ａ等に軸受１２Ｃや発電機１を夫々具備して、超高速周速度マッハ３０等に挑戦する複数〜多数組の一体タービン翼群８Ｇ具備にし、最上部の１組を初速度製造の１組として、実験が必要な横型全動翼蒸気比重大物質重力タービン１１Ｗ燃料費０発電にし、落差５００〜８００ｍ狙いにして、給料世界一や雇用大増大する人類史上最大の貢献とし、利益率抜群世界一の地球温暖化防止にする、各種エネルギ保存サイクル合体機関発電及び合体方法発電にする。
【実施例９】
【００２２】
図９の液体酸素製造機８９Ａは、電気駆動として燃料費０で発電用超臨界圧力水蒸気５Ｈを製造噴射し、燃料費０の各種発電にして副産物の液体酸素や液体窒素等を製造するするもので、図の簡単圧縮機３ｓを図１１の対向２段圧縮機１２Ｙと交換や、上吸引下反発磁石９ｂや吸引磁石９ｃにより軸受荷重０接近で超高速回転対応として、燃料費０発電電気駆動＋空気タービン３ｔ駆動にし、図１０の太陽光加熱器２１で１０倍温度２００℃等に加熱した空気２８ａを、対向２段圧縮機１２Ｙの逆浸透水５２Ｄ冷却の圧縮翼で圧縮して、内側圧縮翼群５３Ｄ外側圧縮翼群５３Ｃで圧縮比８００等にする過程て逆浸透水５２Ｄを加熱し、超高圧圧縮空気２８ａ製造過程で超臨界圧力水蒸気５Ｈ製造準備して、対向２段圧縮機１２Ｙの圧縮空気熱交換器２Ｙ超臨界圧力水蒸気管５Ｈを長大として熱交換し、１段圧縮機で８０ＭＰａ等超臨界圧力水蒸気５Ｈを製造して、２段圧縮機を低温空気熱交換器２Ｗ逆浸透水５２Ｄ冷却として超臨界圧力水蒸気５Ｈ製造準備し、更に低温空気熱交換器２Ｗでは空気タービン３ｔ排気冷却の低温アルコール５２Ｃ冷却にして、低温圧縮空気２８ａにしてタービン遠心力で分離した液体酸素５Ｋや液体窒素５Ｌ等は分離使用し、排気によりアルコール管５２Ｃを冷却低温アルコール５２Ｃにして、空気タービン３ｔを駆動排気温度を−２７０℃近傍にし、断熱膨張駆動の過程で液化温度に合わせて液体酸素５Ｋや液体窒素５Ｌを外周に遠心力噴射して、段落毎の外周下部より夫々に分割し、液体酸素５Ｋや液体窒素５Ｌ等で回収して、不用品や液体窒素５Ｌを適宜に空気タービン３ｔ熱交換排気とし、アルコール管５２Ｃで熱交換アルコール５２Ｃを−１００℃近傍として、アルコール管５２Ｃを低温空気熱交換器２Ｗに延長し、圧縮空気２８ａを冷却低温圧縮空気２８ａにして、液体酸素５Ｋ＋液体窒素５Ｌ大量製造し、液体酸素５Ｋ＋液体窒素５Ｌ＋超臨界圧力水蒸気５Ｈ等各種熱供給設備３Ｄとして、内側圧縮翼群５３Ｄや内側出力翼群５３Ｂ兼内側軸装置６０Ａ及び、外側圧縮翼群５３Ｃや外側出力翼群５３Ａ兼外側軸装置６０Ｂの、夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持超高速回転バランス調整加工とし、バランス良好として分解本組立てにする内側軸装置６０Ａと外側軸装置６０Ｂの超高速二重反転して、対向２段圧縮機１２Ｙで超臨界圧力水蒸気５Ｈを製造する、極秘製造極秘運用極秘改良発明を最重要とし、液体酸素製造機８９Ａにする。
【００２３】
設計や製造の過程では、段落毎１鋳造部品にすることで加工可能兼共振や振動０接近の超高速回転に対応して、内側圧縮翼や出力翼は１段翼に外側圧縮翼や出力翼は２段具備で最大速度駆動に対応し、内側圧縮翼や出力翼は２段翼以上に外側圧縮翼や出力翼は３段具備以上で最適速度駆動に対応し、対向２段圧縮機２Ｙ連結で軸受荷重０接近容易や低温圧縮空気２８ａにして、液体酸素製造機８９Ａ＋竪型全動翼蒸気水重力タービン１１Ｚ等各種燃料費０発電とし、燃料費０発電超安価電気駆動を武器に電気＋熱供給設備３Ｄとして、海底や永久凍土地下のメタンハイドレートに超臨界圧力水蒸気５Ｈ〜高温水５２ｂを注入する、米国シェールガス回収装置類似＋日本メタン回収装置にし、超臨界圧力水蒸気５Ｈ〜高温水５２ｂをメタンハイドレートに注入メタンガスで回収して、液体窒素５Ｌで冷却して液体メタンで回収し、永久凍土地下のメタンハイドレートに高温水５２ｂ噴射メタンの気化回収する、超大型透明円錐形の囲いを設けて頂部より気化メタンを回収して、液体窒素５Ｌ冷却して液体メタンで回収して貯蔵利用し、太陽光や高温水５２ｂで加熱する水滴の多い超大型の温室にして、外気と遮断メタン菌メタン製造量の研究や日照時間や水滴の多い温室牧草地放牧の研究とし、温室牧草地を増大する液体メタンの大量生産等輸入燃料０が可能かの実験や、牛肉の大量生産等の実験にして、燃料電池自動車を駆動する水素製造では超安価な水の電気分解分解により水素製造し、最も安価な水素製造として燃料電池自動車に供給する、竪型全動翼蒸気水重力タービン１１Ｚ等各種燃料費０発電＋液体酸素製造機８９Ａにする。
【実施例１０】
【００２４】
図１０の太陽光加熱器２１の熱製造は、空気温度２０℃を圧縮して圧縮比８で１３倍の２６０℃になるため、例えば液体酸素製造機８９Ａの対向２段圧縮機１２Ｙで、太陽光加熱器２１で１０倍温度等に加熱した空気２８ａを圧縮比８００狙いにして、対向２段圧縮機１２Ｙ水冷却圧縮翼５３Ｃで熱交換圧縮して圧縮空気熱交換器２Ｙで熱交換し、超臨界圧力水蒸気５Ｈを製造して、燃料費０発電電気駆動で大気温度の１３０００倍熱量の超臨界圧力水蒸気５Ｈ製造の実験にし、８０ＭＰａ超臨界圧力水蒸気５Ｈ噴射で逆浸透水５２Ｄ吸引噴射加速して、竪型全動翼蒸気水重力タービン１１Ｚを駆動し、同一流路面積既存蒸気タービン最終翼群の１／２００００容積同一水質量として、同一水質量×３０倍速度の２乗＝９００倍発電量燃料費０駆動のタービン翼群８Ｆにし、図９の液体酸素製造機８９Ａを駆動では、超臨界圧力水蒸気５Ｈ温熱＋液体空気２８ａ冷熱製造供給の、電気＋液体空気冷熱＋高温水５２ｂ等温熱の供給設備３Ｄにして、温熱利用全盛や冷熱利用全盛にするもので、太陽光加熱器２１を水面に浮力を設け又は平地に円形鉄道を設けて具備し、太陽光を東から西に直角維持回転制御する図に無い水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、加熱保存熱量最大狙う熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封し、上部を外部空気路２８Ａとし熱吸収管４Ｈ内部を内部空気路２８Ａとして、２空気路２８Ａ選択吸入の太陽光加熱器２１にする。
【実施例１１】
【００２５】
図１１の液体酸素８９Ａ連結駆動の対向２段圧縮機１２Ｙは、対向圧縮にすることで圧縮推力を平衡にして推力軸受０接近を容易にするもので、設計や製造の過程では、上吸引下反発磁石９ｂや吸引磁石９ｃにより軸受荷重０接近で超高速回転対応とし、段落毎１鋳造部品にすることで加工可能兼共振や振動０接近の超高速回転に対応して、内側圧縮翼群５３Ｄは１段翼に外側圧縮翼群５３Ｃは２段具備で最大速度駆動に対応し、内側圧縮翼群５３Ｄは２段翼以上に外側圧縮翼群５３Ｃは３段具備以上で最適速度駆動に対応し、内側軸装置６０Ａ兼内側圧縮翼群５３Ｄ＋外側軸装置６０Ｂ兼外側圧縮翼群５３Ｃの両端に軸受１２Ｃ具備し、夫々別々に二重反転機関用旋盤１０Ｃや圧縮翼用研削盤１０Ｄ加工して、夫々別々に螺子組立固定や嵌め合い組立固定等に仮組立てし、二重反転機関用旋盤１０Ｃで両端を保持超高速回転バランス調整加工等として、バランス調整良好として分解し、本組立にする対向２段圧縮機１２Ｙとして、二重反転磁気装置８５〜二重反転歯車装置８５Ｙにより、内側軸装置６０Ａ＋外側軸装置６０Ｂを二重反転駆動し、多数の逆浸透水５２Ｄ冷却圧縮翼とした内側圧縮翼群５３Ｄ＋外側圧縮翼群５３Ｃで、入口外箱噴口６Ｇから吸入した空気２８ａを直線冷却圧縮の対向圧縮にして、磁気利用に追加する軸受荷重０接近にし、対向２段圧縮機１２Ｙ超高速二重反転の対向直線冷却圧縮にして、圧縮比８００狙いで圧縮空気熱交換器２Ｙに供給し、超臨界圧力水蒸気管５Ｈと熱交換して、燃料費０で大気温度の１３００倍熱量の超臨界圧力水蒸気５Ｈ製造量狙いとし、全動翼二重反転圧縮の駆動入力電力との比較実験にする、対向２段圧縮機１２Ｙにする。
【産業上の利用可能性】
【００２６】
既存最先端科学技術が簡単に金儲け可能な発明実施全部や、静翼で堰き止め減速して使用する機関類全部や、超高速回転バランス調整加工が必要な機関類発明が皆無等、物理基礎の運動エネルギ＝質量×速度の２乗に比例するを利用０接近の静翼具備全部のため、竪型全動翼蒸気水重力タービン１１Ｚ等各種発電量の優位性比較説明倍率が、既存火力発電蒸気タービン最終翼群の１８００万倍発電量に少し近付く可能性があり、既存の火力発電や原子力発電が自然淘汰する可能性があり、太陽光発電や風力発電も順次０になる可能性がある。
【符号の説明】
【００２７】
０：優位性比較説明倍率（実験の必要倍率）  ０：各種エネルギ保存サイクル合体機関（各種熱エネルギは空気温度として熱ポンプで圧縮熱回収熱製造使用して、重力エネルギは上昇保存噴射真空中重力加速度加速して発電し電気駆動や電気製造物駆動等各種関連機関）  １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）      １Ａ：蓄電池、  １Ｄ：燃料噴射ポンプ、  １Ｈ：自家発電、  １Ｋ：液体燃料制御弁、  １Ｌ：高圧燃料加熱管、  ２Ａ：耐熱材、    ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｗ：低温空気熱交換器、  ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）  ３ｄ：合体タービン、  ３ｅ：２段圧縮機、  ３ｓ：簡単圧縮機、  ３ｕ：タービン、  ３Ｄ：電気熱供給設備、  ３Ｅ：比重大物質（水銀や水等常温で液体の比重大物質）    ３Ｅ：比重大物質（低融点合金の５００度以下液体で安定高温液体合金）  ３Ｑ：理論膨張機関（ボイルの法則で最良狙う）  ３Ｒ：理論ガスタービン、  ３Ｓ：理論蒸気タービン、  ３Ｔ：理論気体圧縮機、  ３Ｕ：理論タービン、  ４Ｃ：対向同期歯車、  ４Ｄ：直列同回転歯車、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：水管、  ５Ｈ：超臨界圧力水蒸気、  ５Ｈ：超臨界圧力水蒸気管、  ５Ｊ：圧縮空気過熱管、  ５Ｋ：液体酸素、  ５Ｌ：液体窒素室、  ５Ｌ：液体窒素、  ５Ｍ：高圧高温燃焼室、  ５Ｑ：高圧高温水制御弁、  ５Ｓ：圧縮空気加熱管、  ５Ｖ：圧縮空気制御弁、  ５Ｚ：水ポンプ、  ６：最終圧縮翼、  ６ａ：初速製造部、  ６Ａ：過熱蒸気ロケット噴口（用途により逆噴射可能にした噴口）  ６Ｂ：圧縮空気噴射ノズル、  ６Ｆ：水噴射ノズル、  ６Ｇ：外箱噴口、  ６Ｈ：排水管、  ６Ｗ：比重大物質加速機、  ６Ｘ：燃料噴射ノズル、  ６Ｙ：燃焼ガス噴射ノズル、  ６Ｚ：水蒸気噴射ノズル、  ６ａ：初速製造部、  ７Ａ：プロペラ、  ７Ｂ：回転翼、  ７Ｃ：スクリュー、  ８ａ：タービン翼、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ８Ｆ：タービン翼群（運動エネルギ＝質量×速度の２乗に比例する。を利用超高速駆動物質速度記録に挑戦最大発電量にする）  ８Ｇ：一体タービン翼群（可変速発電電動機では一定周波交流で可変速となり、入出力が回転数の３乗に比例して変化する。を利用超高速周速度記録に挑戦最大発電量にする）    ９Ｂ：反発電磁石永久磁石、  ９Ｃ：吸引電磁石永久磁石、  ９Ｄ：空気圧部、  ９Ｅ：空気圧部、  ９Ｍ：嵌合組立部、  ９Ｑ：垂直平行板、  ９ｂ：上吸引下反発磁石、  ９ｃ：吸引磁石、  ９ｄ：反発磁石、  １０Ｂ：二重反転機関用立型旋盤、  １０Ｃ：二重反転機関用旋盤、  １０Ｄ：圧縮翼用研削盤、  １０Ｅ：出力翼用研削盤、  １０Ｆ：タービン翼用研削盤、  １０Ｇ：タービン翼用研削盤、  １１：全動翼蒸気タービン、  １１ａ：リニア噴射車両、  １１ｂ：噴射車両、  １１Ｂ：二重反転自動車、  １１Ｃ：二重反転船舶、  １１Ｄ：復水器、  １１Ｅ：二重反転飛行機、  １１Ｆ：二重反転噴射船舶、  １１Ｇ：二重反転噴射飛行機、  １１Ｉ：回転翼飛行機、  １１Ｊ：回転翼噴射飛行機、  １１Ｍ：オスプレイ特大、  １１Ｎ：オスプレイ大型、  １１Ｗ：横型全動翼蒸気比重大物質重力タービン、  １１Ｘ：横型全動翼蒸気水重力タービン、  １１Ｙ：竪型全動翼蒸気比重大物質重力タービン、  １１Ｚ：竪型全動翼蒸気水重力タービン、  １２：重力発電建物、  １２Ａ：鉄骨骨組、  １２Ｂ：柱管、  １２Ｃ：軸受、  １２Ｄ：角フランジ、  １２Ｅ：二重反転噴射機関、  １２Ｆ：二重反転空気噴射機関、  １２Ｇ：二重反転機関、  １２Ｎ：２段圧縮機、  １２Ｙ：対向２段圧縮機、  １２Ｚ：対向２段圧縮機、  １６：水平軸板（精密組立を容易にする円盤）  １６Ａ：水平軸、  ２１：太陽光加熱器（吸入空気路を熱吸収管４Ｈ内にも設けて主使用する）    ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２Ａ：水、  ５２Ｂ：水管、  ５２Ｃ：アルコール、  ５２Ｃ：アルコール管、  ５２Ｄ：逆浸透水（固形物除去タービン翼群８Ｆの摩耗量を僅少にする水）、  ５２Ｄ：逆浸透水管、  ５２Ｅ：蒸留水、  ５２Ｅ：蒸留水管、  ５２ａ：水、  ５２ｂ：高温水、  ５３Ａ：外側出力翼群（駆動流体速度の１／１０前後外周速度狙う出力翼）  ５３Ｂ：内側出力翼群（駆動流体速度に近い外周速度狙う出力翼）  ５３Ｃ：外側圧縮翼群（５Ｈ製造用の逆浸透水５２Ｄ冷却翼）  ５３Ｄ：内側圧縮翼群、  ６０Ａ：内側軸装置、  ６０Ｂ：外側軸装置、  ６０Ｃ：円筒内側動翼群、  ６０Ｄ：円筒外側動翼群、  ６０Ｇ：外側環状翼群、  ６０Ｈ：内側環状翼群、  ６０ｃ：内側動翼群、  ６０ｄ：外側動翼群、  ６０ｅ：外入口翼群、  ６０ｆ：内入口翼群、  ６０ｇ：外中間翼群、  ６０ｈ：内中間翼群、  ６０ｊ：内出口翼群、  ６０ｋ：外出口翼群、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８９Ａ：液体酸素製造機
【図１】
2015218640.tif 000003
【図２】
2015218640.tif 000004
【図３】
2015218640.tif 000005
【図４】
2015218640.tif 000006
【図５】
2015218640.tif 000007
【図６】
2015218640.tif 000008
【図７】
2015218640.tif 000009
【図８】
2015218640.tif 000010
【図９】
2015218640.tif 000011
【図１０】
2015218640.tif 000012
【図１１】
2015218640.tif 000013